(57)【要約】【課題】複数の対象ホームページを大人数のユーザが閲覧する場合に個々のホームページ毎、ユーザ毎の閲覧管理を事前のユーザ登録しないで出来るようにする。閲覧者に対象ホームページの周期的な閲覧を促す。【解決手段】閲覧したホームページを特定する情報と、閲覧者を特定する情報を対にして保存して閲覧者がホームページを閲覧したことを管理する。閲覧者を特定する情報を自動的に取得する。設定した期間と最終閲覧日時を比べて期間が経過している場合は通知する。【選択図】　　　　図２
2004118238.tif 000002
【特許請求の範囲】
【請求項１】
下記のａ乃至ｅのステップから成るホームページ閲覧管理システム
ａ．ホームページ閲覧者が端末機を用い対象ホームページのひとつを閲覧する時に、ホームページ閲覧管理者のサーバはホームページ特定ＩＤを取得するステップ。
ｂ．又上記対象ホームページ閲覧時に上記サーバは閲覧者のＩＤ又は閲覧端末機のＩＤを閲覧者特定ＩＤとして取得するステップ。
ｃ．上記サーバは上記ホームページ特定ＩＤ及び上記閲覧者特定ＩＤを関連付けて記憶保存するステップ。
ｄ．上記ａからｃのステップを繰り返し行うステップ。
ｅ．閲覧者からの要求により上記サーバは上記関連付けて記憶保存した上記ホームページ特定ＩＤ及び上記閲覧者特定ＩＤからその要求した閲覧者の対象ホームページ毎の閲覧回数を確認するステップ。
【請求項２】
下記のａ乃至ｅのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得するステップ。
ｃ．上記サーバは上記ホームページ特定ＩＤ及び上記閲覧者特定ＩＤを閲覧証拠データとして上記閲覧端末機に送信しその記憶部に記憶保存せしめるステップ。
ｄ．上記ａからｃのステップを繰り返し行うステップ。
ｅ．上記閲覧端末機から上記サーバへ上記ｃで記憶保存せしめられた複数の上記閲覧証拠データを送信し、上記サーバは該送信を受けた閲覧証拠データから閲覧者の対象ホームページ毎の閲覧回数を確認し閲覧者に通知するステップ。
【請求項３】
下記のａ乃至ｅのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得するステップ。
ｃ．上記サーバは上記ホームページ特定ＩＤ及び上記閲覧者特定ＩＤを閲覧証拠データとして画像データに埋め込み、該画像データを上記端末機に送信しその記憶部に記憶保存せしめるステップ。
ｄ．上記ａからｃのステップを繰り返し行うステップ。
ｅ．上記閲覧端末機から上記サーバへ上記ｃで記憶保存せしめられた複数の上記画像データを送信し、上記サーバは該送信を受けた上記画像データに埋め込まれた閲覧証拠データから閲覧者の対象ホームページ毎の閲覧回数を確認し、閲覧を確認した上記画像データを上記閲覧者の上記端末機に送信し画像として表示させることにより同閲覧者の対象ホームページ毎の閲覧を上記閲覧者に通知するステップ。
【請求項４】
下記のａ乃至ｇのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得すると共に、その時刻を閲覧日時データとして取得するステップ。
ｃ．上記サーバは上記ホームページ特定ＩＤ及び上記閲覧者特定ＩＤ並びに上記閲覧日時データを閲覧証拠データとし、その閲覧証拠データと該対象ホームページのアドレス及び該対象ホームページに予め設定した期間や日時のデータを上記閲覧端末機に送信し、送信された上記閲覧証拠データ、上記アドレス及び上記期間のデータを互いに関連付けてその記憶部に記憶保存せしめるステップ。
ｄ．上記ａからｃのステップを繰り返し行うステップ。
ｅ．上記閲覧者の要求により上記閲覧端末機は上記ｃで記憶保存せしめられた上記閲覧証拠データを対象ホームページ毎にその表示装置に表示するステップ。
ｆ．同時に上記閲覧端末機は対象ホームページ毎の最終閲覧日時と現在時刻を比較し、該現在時刻が上記端末機に記憶保存せしめられた該対象ホームページの上記予め設定した期間や日時を経過している場合は閲覧者に通知し、閲覧者からの要求により上記端末機に記憶保存せしめられた該対象ホームページのアドレスにアクセスし該対象ホームページを開くステップ。
ｇ．上記閲覧端末機から上記サーバへ複数の上記閲覧証拠データを送信し、上記サーバは該送信を受けた閲覧証拠データから閲覧者の対象ホームページ毎の閲覧回数とその日時を確認し閲覧者に通知するステップ。
【請求項５】
下記のａ乃至ｇのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得すると共に、その時刻を閲覧日時データとして取得するステップ。
ｃ．上記サーバは上記ホームページ特定ＩＤ及び上記閲覧者特定ＩＤ並びに上記閲覧日時データを閲覧証拠データとし、その閲覧証拠データと上記該対象ホームページのアドレス及び上記該対象ホームページに予め設定した期間や日時のデータを画像データに埋め込みその画像データを上記閲覧端末機に送信しその記憶部に記憶保存せしめるステップ。
ｄ．上記ａからｃのステップを繰り返し行うステップ。
ｅ．上記閲覧者の要求により上記閲覧端末機は上記ｃで記憶保存せしめられた上記画像データを対象ホームページ毎に画像としてその表示部に表示するステップ。
ｆ．同時に上記閲覧端末機は上記画像データに埋め込まれた閲覧証拠から対象ホームページ毎の最終閲覧日時と現在時刻を比較し、該現在時刻が上記画像データに埋め込まれた該対象ホームページの上記予め設定した期間や日時を経過している場合は閲覧者に通知し、閲覧者からの要求により上記画像データに埋め込まれた該対象ホームページのアドレスにアクセスし該対象ホームページを開くステップ。
ｇ．上記閲覧端末機から上記サーバへ複数の上記画像データを送信し、上記サーバは該送信を受けた画像データの中の閲覧証拠データから閲覧者の対象ホームページ毎の閲覧回数とその日時を確認し閲覧者に通知するステップ。
【請求項６】
請求項４又は請求項５のｇの通知において、上記サーバは上記閲覧者の対象ホームページ毎の最終の閲覧日時と現在時刻を比較し、該現在時刻が対象ホームページ毎に上記サーバに予め設定した期間や日時を経過している場合は、上記閲覧者に通知することを特徴とする請求項４又は請求項５記載のホームページ閲覧管理システム。
【請求項７】
請求項２のｅ又は請求項３、請求項４、請求項５のｇの送信において、上記閲覧者は上記サーバへアクセスして上記複数のデータを送信し、
請求項２のｅ又は請求項３、請求項４、請求項５のｇの確認通知において、上記サーバはそのアクセス信号を元に閲覧者のＩＤ又は閲覧端末機のＩＤを閲覧者特定ＩＤとして再取得し、
上記送信された複数のデータの中の閲覧者特定ＩＤと、上記再取得した閲覧者特定ＩＤとを比較しその一致不一致を確認し
上記送信を受けたデータから上記において一致を確認した閲覧者の対象ホームページ毎の閲覧回数を確認し閲覧者に通知することを特徴とする請求項２、請求項３、請求項４又は請求項５のホームページ閲覧管理システム
【請求項８】
下記のａ乃至ｇのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得するステップ。
ｃ．上記サーバは上記ホームページ特定ＩＤと上記閲覧者特定ＩＤを関連付けて上記サーバの記憶部に記憶保存するステップ。
ｄ．上記ａからｃのステップを繰り返し行うステップ。
ｅ．上記閲覧者は端末機を用い上記サーバへアクセスして同閲覧者の対象ホームページ毎の閲覧回数の確認を要求するステップ。
ｆ．又上記ｅにおける上記アクセス時に上記サーバは該サーバへのアクセス信号及び／又はそれに引く続く上記端末機との通信を元に閲覧者のＩＤ又は閲覧端末機のＩＤを閲覧者特定ＩＤとして再取得するステップ。
ｇ．上記サーバは上記ｃで記憶保存されたＩＤの中から、上記再取得した閲覧者特定ＩＤと一致する閲覧者特定ＩＤと関連付けられたホームページ特定ＩＤから同閲覧者の対象ホームページ毎の閲覧を確認し上記閲覧者に通知するステップ。
【請求項９】
下記のａ乃至ｇのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得するステップ。
ｃ．上記サーバは上記ホームページ特定ＩＤ及び上記閲覧者特定ＩＤを閲覧証拠データとして画像データに埋め込み、該画像データを上記サーバの記憶部に記憶保存するステップ。
ｄ．上記ａからｃのステップを繰り返し行うステップ。
ｅ．上記閲覧者は端末機を用い上記サーバへアクセスして同閲覧者の対象ホームページ毎の閲覧回数の確認を要求するステップ。
ｆ．又上記ｅにおける上記アクセス時に上記サーバは該サーバへのアクセス信号及び／又はそれに引く続く上記端末機との通信を元に閲覧者のＩＤ又は閲覧端末機のＩＤを閲覧者特定ＩＤとして再取得するステップ。
ｇ．上記サーバは上記再取得した閲覧者特定ＩＤと一致する閲覧者特定ＩＤをもつ上記記憶保存した画像データの中の上記閲覧証拠データから同閲覧者の対象ホームページ毎の閲覧回数を確認し、上記画像データを上記端末機上に画像として表示させることにより同閲覧者の対象ホームページ毎の閲覧回数を上記閲覧者に通知するステップ。
【請求項１０】
下記のａ乃至ｈのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得すると共に、その時刻を閲覧日時データとして取得するステップ。
ｃ．上記サーバは上記ホームページ特定ＩＤと上記閲覧者特定ＩＤ並びに上記閲覧日時データを閲覧証拠データとして上記サーバの記憶部に記憶保存するステップ。
ｄ．上記ａからｃのステップを繰り返し行うステップ。
ｅ．上記閲覧者は端末機を用い上記サーバへアクセスして同閲覧者の対象ホームページ毎の閲覧回数の確認を要求するステップ。
ｆ．又上記ｅにおける上記アクセス時に上記サーバは該サーバへのアクセス信号及び／又はそれに引く続く上記端末機との通信を元に閲覧者のＩＤ又は閲覧端末機のＩＤを閲覧者特定ＩＤとして再取得するステップ。
ｇ．上記サーバは上記再取得した閲覧者特定ＩＤと一致する閲覧者特定ＩＤを持つ上記ｃの閲覧証拠データから同閲覧者の対象ホームページ毎の閲覧を確認し上記閲覧者に通知するステップ。
ｈ．同時に上記サーバは対象ホームページ毎の最終閲覧日時と現在時刻を比較し、該現在時刻が該対象ホームページに予め設定した期間や日時を経過している場合は該対象ホームページのアドレスをリンク先として埋め込んで上記閲覧者に通知するステップ。
【請求項１１】
下記のａ乃至ｊのステップから成るホームページ閲覧管理システム
ａ．ホームページ閲覧者が端末機を用い対象ホームページのひとつを閲覧する時に、ホームページ閲覧管理者のサーバへもアクセス信号を送信させ、その閲覧管理者のサーバは上記アクセス信号を元にホームページ特定ＩＤを取得するステップ。
ｂ．又上記対象ホームページ閲覧時に上記サーバは上記サーバへのアクセス信号及び／又はそれに引く続く上記端末機との通信を元に、閲覧者のＩＤ又は閲覧端末機のＩＤを閲覧者特定ＩＤとして取得するステップ。
ｃ．上記サーバは上記ホームページ特定ＩＤおよび上記閲者特定ＩＤを閲覧証拠データとし、上記サーバ上で保存された閲覧証拠管理ファイル上に、上記閲覧証拠データの記録が有るか否かチェックするステップ。
ｄ．上記ｃ．の上記閲証拠データの記録が有るか否かのチェックで上記閲覧証拠データの記録が無い場合は、上記閲覧証拠データでその閲覧証拠管理ファイルに記録を作成し、その記録の閲覧回数を１、最終閲覧日時を現在時刻で記録するステップ。
ｅ．上記ｃ．の上記閲覧証拠データの記録が有るか否かのチェックで上記閲覧証拠データの記録がありかつ現在時刻が対象ホームページ毎にサーバに予め設定した期間や日時を経過している場合は、記録されている閲覧回数を加算し最終閲覧日時を現在時刻で更新するステップ。
ｆ．上記ａからｅのステップを繰り返し行うステップ。
ｇ．上記閲覧者は端末機を用い上記サーバへアクセスして同閲覧者の対象ホームページ毎の閲覧回数の確認を要求するステップ。
ｈ．又上記ｅにおける上記アクセス時に上記サーバは該サーバへのアクセス及び／又はそれに引く続く上記端末機との通信を元に閲覧者のＩＤ又は閲覧端末機のＩＤを閲覧者特定ＩＤとして再取得するステップ。
ｉ．上記サーバは上記ｇで再取得した閲覧者特定ＩＤを持つ閲覧証拠データの記録から対象ホームページ毎の閲覧回数を上記閲覧者に通知するステップ。
ｊ．また上記通知時に、上記サーバは上記閲覧者の上記対象ホームページ毎の最終閲覧日時と現在時刻を比較し、該現在時刻が対象ホームページ毎に上記サーバに予め設定した期間や日時を経過している場合は、該対象ホームページのアドレスをリンク先として埋め込んで上記期間の経過を通知するステップ。
【請求項１２】
請求項８、請求項９、請求項１０又は請求項１１のｂにおいて閲覧者特定ＩＤを取得する場合に以下のａ乃至ｂのステップからなる請求項８、請求項９、請求項１０又は請求項１１のホームペ−ジ閲覧管理システム。
ａ．閲覧管理者のサーバは閲覧者の端末機に上記サーバがホームページ特定ＩＤ用として設定したクッキーに、上記取得したホームページ特定ＩＤの値があるか確認するステップ。
ｂ．上記サーバは上記サーバへのアクセス信号及び／又はそれに引く続く、上記ａにおいて確認された上記取得したホームページ特定ＩＤの値がある端末機との通信を元に、閲覧者のＩＤ又は閲覧端末機のＩＤを閲覧者特定ＩＤとして取得するステップ。
【請求項１３】
請求項１、請求項２、請求項３、請求項４、請求項５、請求項８、請求項９、請求項１０又は請求項１１のｂ又は請求項７または請求項８、請求項９、請求項１０のｆ又は請求項１１のｈにおいて閲覧者特定ＩＤを取得する場合に以下のａ乃至ｃのステップからなる請求項１、請求項２、請求項３、請求項４、請求項５、請求項７、請求項８、請求項９、請求項１０又は請求項１１のホームペ−ジ閲覧管理システム。
ａ．閲覧管理者のサーバは閲覧者の端末機に上記サーバが閲覧者特定ＩＤとして設定したクッキーの値があるか確認するステップ。
ｂ．上記ａの確認において上記サーバが閲覧者特定ＩＤとして設定したクッキーの値がない場合は上記サーバは一意のＩＤを発行し、その発行した一意のＩＤの値を閲覧者特定ＩＤとして上記端末機のクッキーに設定し、閲覧者特定ＩＤとしてその一意のＩＤを用いるステップ。
ｃ．上記ａの確認において、上記サーバが閲覧者特定ＩＤとして設定したクッキーの値が設定されている場合はそのクッキーの値を閲覧者特定ＩＤとして取得するステップ。
【請求項１４】
請求項１、請求項２、請求項３、請求項４、請求項５、請求項８、請求項９、請求項１０又は請求項１１のｂ又は請求項７または請求項８、請求項９、請求項１０のｆ又は請求項１１のｈにおいて閲覧者特定ＩＤを取得する場合に以下のａ乃至ｃのステップからなる請求項１、請求項２、請求項３、請求項４、請求項５、請求項７、請求項８、請求項９、請求項１０又は請求項１１のホームペ−ジ閲覧管理システム。
ａ．閲覧管理者のサーバは閲覧者に入力させることなく、そのサーバへのアクセス信号及び／又はそれに引く続く閲覧者の端末機との通信を元に取得できる閲覧者特定ＩＤを自動閲覧者特定ＩＤとして取得するステップ。
ｂ．上記閲覧者からの要求により上記サーバは閲覧者に入力させて取得する閲覧者特定ＩＤ（以下手動閲覧者特定ＩＤ）を設定し、上記自動閲覧者特定ＩＤと対にして上記サーバ上に保存するステップ。
ｃ．上記サーバは上記閲覧者の選択により上記自動閲覧者特定ＩＤか上記手動閲覧者特定ＩＤを閲覧者特定ＩＤとして取得するステップ。
【請求項１５】
請求項２、請求項３又は請求項９のｃでホームページ特定ＩＤ及び閲覧者特定ＩＤを閲覧証拠データとする際に、上記サーバは上記ホームページ特定ＩＤを別のＩＤに置換しそのホームページ特定ＩＤと該置換ＩＤを関連付けてその記憶部に記憶し、
少なくとも該置換ＩＤと閲覧者特定ＩＤをハッシュ演算し、該ハッシュ演算データとホームページ特定ＩＤ及び閲覧者特定ＩＤを閲覧証拠データとするか
少なくともホームページ特定ＩＤ及び閲覧者特定ＩＤをハッシュ演算し、該ハッシュ演算データと該置換ＩＤ及び閲覧閲覧者特定ＩＤを閲覧証拠データとする
ことを特徴とする請求項２、請求項３又は請求項９記載のホームページ閲覧管理システム。
【請求項１６】
請求項４、請求項５又は請求項１０のｃでホームページ特定ＩＤ及び閲覧者特定ＩＤ並びに閲覧日時データを閲覧証拠データとする際に、上記サーバは上記ホームページ特定ＩＤを別のＩＤに置換しそのホームページ特定ＩＤと該置換ＩＤを関連付けてその記憶部に記憶し、
少なくとも該置換ＩＤと閲覧者特定ＩＤと閲覧日時データをハッシュ演算し、該ハッシュ演算データとホームページ特定ＩＤ及び閲覧者特定ＩＤ並びに閲覧日時データを閲覧証拠データとするか
少なくともホームページ特定ＩＤ及び閲覧者特定ＩＤと閲覧日時データをハッシュ演算し、該ハッシュ演算データと該置換ＩＤ及び閲覧閲覧者特定ＩＤ並びに閲覧日時データを閲覧証拠データとする
ことを特徴とする請求項４、請求項５又は請求項１０記載のホームページ閲覧管理システム。
【発明の詳細な説明】
【０００１】
【発明の属する技術分野】
本発明は、インターネットのホームページを特定の閲覧者が閲覧したか確認するインターネット利用技術に関するものである。
【従来の技術】
【０００２】
従来のホームページの閲覧管理は事前に登録された閲覧者に電子メールを送り、その中に埋め込んだリンクをクリックさせ、センターで管理するものや、
予め電子メールアドレス等のユーザＩＤを登録して、対象ホームページを閲覧するたびにユーザＩＤを入力させ、ユーザＩＤごとに閲覧を管理するものである。その場合もどのホームページを閲覧したかではなく、そのユーザＩＤが閲覧回数に応じて獲得したポイントで管理するものである。
いずれの場合も、事前登録が必要であり、またホームページごとの周期的な閲覧を促す手段に欠けている。
周期的な閲覧に近いものとして、ホームページを閲覧しその中にあるクーポンを印刷して窓口や、清算時に渡すものがあるが、周期的閲覧というよりは単なる値引きにしかならないものが多い。
インターネットショップでは購入毎や、最初の登録時にポイントを渡してユーザの囲い込みするものも有るがその管理方式は、購入時や、登録時のユーザＩＤを用いるものである。
複数のホームページの閲覧を閲覧者ごとに管理することにより、個々のホームページの閲覧を管理し個々の閲覧者がどこのページを何回閲覧したか確認できるという管理は行われていない。
【０００３】
【発明が解決しようとする課題】
閲覧の確認を事前登録不要でおこなうこと
無料はもちろんの事、何かの特典と引き換えでもユーザはユーザ側の情報を出すことや、入力等の手間は通常いやがる。ユーザが特典を得られるホームページを閲覧する場合、事前登録なしで対象ホームページを閲覧したことが分かるようにする。
どんなに大きな閲覧人数でも、閲覧を管理できること
通常ホームページ閲覧の特典を得るために、ユーザはコストを払わなくともホームページ開設者が特典を出していることが多い。そのためユーザ数は上限無く増えることも予想される。どんな大きなユーザ数でも閲覧を管理できることが必要である。
閲覧の確認を分かりやすい形でユーザに示すこと
閲覧数回数や、閲覧することにより加算されるポイントが閲覧したことの証拠となるデータで示されるのではなく、ユーザが直感的にどのホームページを閲覧し、閲覧回数や、閲覧によって得たポイントを分かりやすい形で示すことも大切である。
周期的な閲覧を促すこと
ホームページ開設者は新規の閲覧者を増やし、商品の販売や、開設者の告知に勤めるが、既存の閲覧者の周期的な閲覧を促し開設者のブランドや、新製品の告知に勤めることも重要である、そのためには既存の閲覧者の周期的な閲覧が重要である。
複数のホームページ閲覧を個別に一元管理する
ユーザが閲覧により特典が得られるホームページをまとめて管理できるようになれば、ユーザにとってメリットとなる。複数のホームページの閲覧を一元管理する方法を提供する。
【０００４】
【課題を解決するための手段】
閲覧したホームページを特定する情報と、閲覧者を特定する情報を対にして保存して閲覧者がホームページを閲覧したことを管理する。
閲覧したホームページを特定する情報と、閲覧者を特定する情報を閲覧者に持ってもらい、閲覧の確認が必要な場合にそのデータを確認者へ送信して、閲覧を確認する。閲覧者の端末機で管理するため、どんなに大きな閲覧人数でも、閲覧を管理できる。
閲覧者又は閲覧者の端末機を特定する情報を、インターネット通信回線を介して取得する。インターネット通信回線を介して自動で取得できるユーザ側情報や、クッキーを自動設定することにより、事前の登録が不要でホームページの閲覧が確認できる。
閲覧した証拠のデータを画像に埋め込み、画像を保存し必要なときにホームページ閲覧管理者へ送信する。画像を表示して、閲覧の確認ができるようにすることにより、閲覧の確認を分かりやすい形でユーザに示す。
さらに、周期的に閲覧させたい周期を閲覧した証拠データとともに管理することにより次回の閲覧を通知して促すことができる。
どのユーザがどのページを見たと言う閲覧証拠の管理を行えば、ユーザごとにどのページを見ているか容易にユーザに示すことができるようになり、複数のホームページ閲覧をユーザごとに個別に一元管理できる。
【０００５】
【発明の実施と形態】
発明の実施の形態を実施例に元づき図面を参照して説明する。
最初に本発明による方法を実現するための機器の構成について説明する。
以下の説明で、本発明の実施の形態として示す閲覧管理システムを構成する閲覧管理者のサーバ（２）は、図１に示すように閲覧を確認する対象ホームページを開設するサーバ（３）とは別途に配置されることを想定しているが、閲覧管理とホームページを開設するサーバが物理的に同一の場合でも同じ説明が成り立つ。また各サーバは機能としてひとつのサーバとして説明されているが物理的に複数のサーバが一つの機能をなしてもよい。閲覧管理者のサーバとは閲覧管理者が管理できるサーバであり、あるサーバの閲覧管理者が管理できる一部の領域や、閲覧管理者が管理できる物理的に複数のサーバでもよい。
また以下の説明でＣＧＩ（ｃｏｍｍｏｎ　ｇａｔｅｗａｙ　ｉｎｔｅｒｆａｃｅ）は広義の意味でＷＷＷサーバにて動く、閲覧データを返すプログラム（ＳＳＩ　ｓｅｒｖｅｒ　ｓｉｄｅ　ｉｎｃｌｕｄｅ）の総称でサブレットやＡＳＰ（ａｃｔｉｖｅ　ｓｅｒｖｅｒ　ｐａｇｅ）その他を含む意味で使用する。
【０００６】
図１において、ホームページ閲覧者が端末機（１）を用い対象ホームページ（４）のひとつを閲覧する（８、９）都度、ホームページ閲覧管理者のサーバ（２）はホームページ特定ＩＤ（５）を取得する。又上記対象ホームページ閲覧毎に上記サーバ（２）は閲覧者のＩＤ又は閲覧端末機のＩＤを閲覧者特定ＩＤ（６）として取得する。上記サーバ（２）は上記ホームページ特定ＩＤ（５）及び上記閲覧者特定ＩＤ（６）を閲覧証拠データ（１２）として記憶保存する。閲覧者からの要求（２０）により上記サーバ（２）は上記記憶保存した閲覧証拠データ（１２）からその要求した閲覧者の対象ホームページ（４）毎の閲覧回数を確認しその閲覧者に通知する（１５、２１）。
【０００７】
さらにその閲覧証拠データ（１２）を
１）図２に有るように閲覧者の端末機（１）に送信（１１）し、閲覧者が保存する。閲覧者は通常これらのデータを閲覧ごとに、ひとつのファイル（１３）として端末機に保存する。閲覧者が必要な場合は閲覧者の端末機から保存したファイル（１３）を表示（１５）して閲覧を確認する。
２）図３に有るようにホームページ閲覧管理者のサーバ（４）に保存する（１１）。サーバは通常これらのデータをファイル（１３）にして保存する（１１）。閲覧者が必要な場合はホームページ閲覧管理者の上記サーバ（４）へ、保存したファイル（１３）を要求し（２０）、表示して（１５、２１）閲覧を確認する。
【０００８】
イ．共通実施例−ホームページ特定ＩＤの取得
図１を参照してホームページ特定ＩＤの取得について説明する。
ホームページ閲覧者が端末機（１）を用い対象ホームページ（４）のひとつを閲覧する時に、ホームページ閲覧管理者のサーバ（２）へもアクセス信号（１０）を送信させ、その閲覧管理者のサーバ（２）は上記アクセス信号（１０）を元にホームページ特定ＩＤ（５）を取得する。
対象ホームページ（４）を閲覧するときにホームページ開設者のサーバ（３）へアクセス（８，９）しなければ対象ホームページ（４）を表示できないが、閲覧管理者のサーバ（２）へもアクセス信号（１０）を送信させ対象ホームページ（４）が閲覧された／されることを通知しなければ管理はできない。システムは閲覧中又は前後で必ず閲覧管理者のサーバ（２）へ対象ホームページ（４）が閲覧された／されることを通知するためにアクセス信号（１０）を送信しなければならない。以下「イ−１．同一サーバによるホームページ特定ＩＤ取得」から「イ−７．プロキシサーバによるホームページ特定ＩＤの取得」でどのようにして閲覧管理者のサーバ（２）へもアクセス信号（１０）を送信させホームページ特定ＩＤ（５）を取得するかの実施例について説明する。
【０００９】
イ−１．同一サーバによるホームページ特定ＩＤ取得
図４を用いて、ホームページ特定ＩＤを取得する方法を説明する。
この方法ではホームページ開設者のサーバと、ホームページ閲覧管理者のサーバを同一のサーバ（２）とする。
ホームページ閲覧者が端末機（１）を用い対象ホームページ（４）のひとつを閲覧する時に、そのホームページ開設／閲覧者のサーバ（２）は上記アクセス信号を元にホームページ特定ＩＤを取得する。
【００１０】
この場合は対象ホームページをＣＧＩとすることで、そのＣＧＩ内でホームページ特定ＩＤ、閲覧者特定ＩＤ取得等の必要な処理ができる。
この場合はＵＲＬがアクセス信号から取得できるので、ホームページ特定ＩＤとしてそのＵＲＬと結びつけられ保存されているホームページ特定ＩＤ（５）を取得するか、ＵＲＬ自身をホームページ特定ＩＤそのものにしてもよい。
【００１１】
イ−２．対象ホームページの一部として閲覧管理者のサーバへリンクする
図５を用いて、閲覧者が対象ホームページを閲覧する時にホームページ特定ＩＤを取得する方法を説明する。
ホームページ閲覧者が端末機（１）を用い対象ホームページ（４）のひとつを閲覧する時に、対象ホームページ（４）のコンテンツの一部としてその閲覧管理者のサーバ（２）内の画像や、ＣＧＩをリンクし呼び出させることにより、ホームページ閲覧管理者のサーバ（２）へもアクセス信号を送信させ、その閲覧管理者のサーバ（２）は上記アクセス信号（１０）中の呼び出される画像データ名、ＣＧＩ名またはＣＧＩパラメータを元にホームページ特定ＩＤを取得する。
上記の場合閲覧管理者のサーバ（２）はＷＷＷサーバでもある。
【００１２】
閲覧管理者のサーバの画像を呼び出す場合も、ＣＧＩを呼び出してそのＣＧＩの中で必要な処理もし、画像を呼び出す方法が容易である。呼び出される画像データ名や、ＣＧＩの名前やＣＧＩに渡すパラメータを対象ホームページごとに変えて、その画像データ名やＣＧＩ名、ＣＧＩに渡すパラメータをホームページ特定ＩＤにすることもできる。
ホームページ特定ＩＤを呼び出される画像データ名や、ＣＧＩ名、ＣＧＩに渡すパラメータとは別途に設定する場合にはホームページ特定ＩＤは、呼び出される画像データ名やＣＧＩ名、ＣＧＩパラメータとホームページ特定ＩＤが関連付けられ保存されているファイル（５、６、７）から取得することで実現できる。
【００１３】
イ−３．リンク先ＵＲＬからホームページ特定ＩＤの取得
次に図６を用いて、閲覧者が対象ホームページを閲覧する時にホームページ特定ＩＤを取得する方法を説明する。
ホームページ閲覧者が端末機（１）を用い対象ホームページ（４）のひとつを閲覧し、その対象ホームページ上で閲覧管理者のサーバ（２）上のホームページ（１２）へリンク（７）し、そのリンク（７）を閲覧者に閲覧してもらうことにより、上記サーバ（２）へもアクセス信号（１０）を送信させ、上記サーバ（２）は上記アクセス信号（１０）のリンク先ＵＲＬを元にホームページ特定ＩＤを取得する。
この場合、閲覧管理者のサーバ（２）へ貼るリンク先は対象ホームページ（４）ごとに別々に設定し、その別々に設定された上記リンク先のＵＲＬをホームページ特定ＩＤとするか、閲覧管理者のサーバへ貼ったリンク先のＵＲＬと、ホームページ特定ＩＤを結びつけて保存しておき（５）、リンク先が閲覧された場合にホームページ特定ＩＤを取得する。
【００１４】
イ−４．参照元ＵＲＬからホームページ特定ＩＤの取得
図５、図６においてホームページ閲覧者が端末機（１）を用い対象ホームページ（４）のひとつを閲覧し、その対象ホームページから閲覧管理者のサーバ（２）へのリンクが参照されることにより、上記サーバ（２）へもアクセス信号（１０）を送信させ、上記サーバ（２）は上記アクセス信号（１０）中のＴＣＰ／ＩＰのプロトコルから参照元ＵＲＬ（２）を取得しその参照元ＵＲＬを元にホームページ特定ＩＤを取得する。
上記アクセス信号中のＴＣＰ／ＩＰプロトコルには参照される閲覧管理者のホームページ（＝参照先ＵＲＬ）へリンクを貼った対象ホームページのＵＲＬ（＝参照元ＵＲＬ）が含まれている。この場合は簡単に参照元ＵＲＬを取得するために参照先ＵＲＬをＣＧＩにして、参照元ＵＲＬを取得すればよい。この場合も上記参照元ＵＲＬをホームページ特定ＩＤとするか、上記参照元ＵＲＬと、ホームページ特定ＩＤを結びつけて保存しておき（６）、上記リンク先が閲覧された場合にホームページ特定ＩＤを取り出して取得する。
【００１５】
イ−５．パラメータによるホームページ特定ＩＤの取得
図５、図６においてホームページ閲覧者が端末機（１）を用い対象ホームページ（４）のひとつを閲覧し、その対象ホームページから閲覧管理者のサーバ（２）のＣＧＩへのリンクがＣＧＩへのパラメータをつけて参照されることにより、上記サーバ（２）へもアクセス信号（１０）を送信させ、上記サーバ（２）は上記ＣＧＩのパラメータを元にホームページ特定ＩＤを取得する。
ＣＧＩのパラメータとしてホームページ特定ＩＤを渡すことで閲覧管理者のサーバ（４）は直接ホームページ特定ＩＤを取得できる。この場合は対象ホームページ毎にホームページ特定ＩＤをパラメータとしてＣＧＩを呼び出すリンクに書き込むことになる。
【００１６】
イ−６．リダイレクトによるホームページ特定ＩＤの取得
図７を用いて、閲覧者が対象ホームページを閲覧する時にホームページ特定ＩＤを取得する方法を説明する。
ホームページ閲覧者が端末機（１）を用い対象ホームページ（４）のひとつを閲覧する時に、ホームページ閲覧管理者のサーバ（２）内のＵＲＬへアクセス（８）し、その閲覧管理者のサーバ（２）は上記ＵＲＬのページを表示することなく、直ちにホームページ開設者のサーバ（３）内の対象ホームページ（４）を閲覧させる（９）。上記閲覧管理者のサーバ（２）は上記アクセス信号の中のＵＲＬを元にホームページ特定ＩＤを取得する。
【００１７】
この場合はホームページ閲覧管理者のＵＲＬを対象ホームページごとに別々に設定すれば、その別々に設定された閲覧管理者のＵＲＬをホームページ特定ＩＤとするか、その閲覧管理者のＵＲＬと、ホームページ特定ＩＤを結びつけてファイル（５）に保存しておき、対象ホームページが閲覧された時にホームページ特定ＩＤを取得する。
【００１８】
イ−７．プロキシサーバによるホームページ特定ＩＤの取得
図８を用いて、閲覧者が対象ホームページを閲覧する時にホームページ特定ＩＤを取得する方法を説明する。
ホームページ閲覧者が端末機（１）を用い対象ホームページ（４）のひとつを閲覧する時に、ホームページ閲覧管理者のプロキシサーバ（２）を通してアクセスさせ、その閲覧管理者のサーバ（２）は上記アクセス信号を元にホームページ特定ＩＤを取得する。
この場合は上記プロキシサーバ（２）内で対象ホームページへのＵＲＬを監視させる。上記の場合、容易に監視できるのはＵＲＬだけであるので、ホームージＩＤはＵＲＬと関連付け閲覧管理者のサーバ（２）に保存されたファイル（５）から取りだす。
【００１９】
ホームページ開設者のサーバ（３）と、上記閲覧管理者のサーバ（２）を物理的に同一のサーバとする方法以外の上記のすべての場合、上記閲覧管理者のサーバ（２）はインターネット上のどこにあってもよく特別な制約は無い。またホームページ特定ＩＤは連番などが管理しやすい。
【００２０】
ロ．共通実施例−閲覧者特定ＩＤの取得
図１を参照して閲覧者特定ＩＤの取得について説明する。
対象ホームページ（４）閲覧時に閲覧管理者のサーバ（２）はそのサーバへのアクセス信号（１０）及び／又はそれに引く続く端末機との通信（１４）を元に、閲覧者のＩＤ又は閲覧端末機のＩＤを閲覧者特定ＩＤ（６）として取得する。
対象ホームページ（４）閲覧時はホームページ特定ＩＤ（５）取得の前後の短い時間である。従って上記ホームページ特定ＩＤ（５）を取得する元のアクセス信号（１０）に引き続き処理を行えば対象ホームページ（４）閲覧時のタイミングをつかむことができる。閲覧者を特定する情報は上記アクセス信号（１０）である現行のＴＣＰ／ＩＰのプロトコルには多くは含まれていないので、以下「ロ−１．ＴＣＰ／ＩＰプロトコルから閲覧者特定ＩＤの取得」から「ロ−６．クッキーによる閲覧者特定ＩＤの取得」で、どのようにしてアクセス信号（１０）及び／又はそれに引き続く上記端末機との通信（１４）を元に、閲覧者のＩＤ又は閲覧端末機のＩＤを閲覧者特定ＩＤ（６）として取得するかの実施例について説明する。
【００２１】
ロ−１．ＴＣＰ／ＩＰプロトコルから閲覧者特定ＩＤの取得
図９を参照して閲覧者特定ＩＤを取得する方法を説明する。
対象ホームページ（４）閲覧時に上記サーバ（２）は上記サーバへのアクセス信号（１０）中のＴＣＰ／ＩＰのプロトコルから閲覧端末機を特定する情報を閲覧端末機のＩＤとして取り出し、その閲覧端末機のＩＤを閲覧者特定ＩＤ（５）として取得する。
閲覧端末機を特定するＴＣＰ／ＩＰプロトコルの情報には端末機のＯＳや、ブラウザ及びそのバージョン等のユーザーエージェント情報、経由サーバ名、経由ＩＰアドレスのリモートホスト情報、リモートアドレスとして送られてくるＩＰアドレスがある。
【００２２】
閲覧証拠データを、経済的にリスクが少ない場合に使用する場合で、閲覧者が多くない段階であれば本発明を実現する上で上記情報でも閲覧者特定ＩＤとして使用できる。またＩＰＶ６などの近い将来の仕様では端末機ごとにＩＰが割り当てられる様になり、ＴＣＰ／ＩＰのプロトコルからより完全な閲覧者特定ＩＤを取得できる。
この場合は閲覧者の意思表示が無くとも上記サーバは管理を開始できるが、事前に閲覧管理開始（３）のボタンをクリックさせ閲覧者の意思表示をさせてから管理を開始するのがより好ましい。
【００２３】
ロ−２．閲覧者ＩＤの入力による閲覧者特定ＩＤの取得１（閲覧管理者のサーバをアクセスし入力画面を表示させる）
図１０を参照して閲覧者特定ＩＤを取得する方法を説明する。
対象ホームページ閲覧するためホームページ開設者のサーバをアクセスした後に閲覧管理者のサーバ（２）はそのサーバへのアクセス信号（１０）を受け、そのアクセスに対して入力画面（４）を表示し（１１）、その画面（４）からサーバ（２）への応答信号（１２）を元に、閲覧者のＩＤを閲覧者特定ＩＤ（５）として取得する。
【００２４】
ロ−３．閲覧者ＩＤの入力による閲覧者特定ＩＤの取得２（対象ホームページ上で入力画面を表示させる）
図１１を参照して閲覧者特定ＩＤを取得する方法を説明する。
又は対象ホームページ閲覧時にホームページ開設者のサーバ（３）上の対象ホームページ内で入力画面（４）を表示し（１１）、その画面（４）から上記閲覧管理者のサーバ（２）へ直接応答信号（１２）を受け、その応答信号（１２）を元に、閲覧者のＩＤを閲覧者特定ＩＤ（５）として取得する。
上記入力画面で閲覧者（ユーザ）のＩＤとパスワードを入れて応答する。
【００２５】
ロ−６．閲覧者ＩＤの入力による閲覧者特定ＩＤの取得３（対象ホームページ表示前に閲覧管理者のサーバが入力画面を表示させる）
図１２を参照して閲覧者特定ＩＤを取得する方法を説明する。
対象ホームページ（４）閲覧時に、該対象ホームページ（４）を表示する前に閲覧管理者のサーバへ（２）アクセス（１０）し、上記サーバ（２）は入力画面を表示（１１）し、その入力画面の応答信号（１２）を元に、閲覧者のＩＤを閲覧者特定ＩＤ（５）として取得し、その後該対象ホームページを表示し閲覧させる（１３、８、９）。
この場合は閲覧管理者のサーバ（２）へアクセスするＵＲＬを対象ホームページ毎に個別のＵＲＬとし、そのＵＲＬで対象ホームページを分別し、入力後の対象ホームページ表示のときに、閲覧者の端末機に返す信号（１３）の中で対象ホームページへリンクし閲覧端末機は対象ホームページへアクセスし（８）、対象ホームページを表示する（９）。
【００２６】
閲覧者ＩＤの入力による閲覧者特定ＩＤの取得１〜３の場合は、閲覧者が必ずしも特定の端末機から対象ホームページを呼び出す必要がないが、必ず閲覧者（ユーザ）ＩＤを入力しなければならないという煩わしさがある。またパスワードは場合により省略すればよい。
【００２７】
ロ−５．ＡＣＴＩＶＥ　Ｘプログラムによる閲覧者特定ＩＤの取得
図１３を参照して閲覧者特定ＩＤを取得する方法を説明する。
対象ホームページ（４）閲覧時に対象ホームページ上でＡＣＴＩＶＥ　Ｘ（７）のプログラムを呼び出し、閲覧管理者のサーバ（２）はそのＡＣＴＩＶＥ　Ｘ（７）プログラムから上記サーバへ（２）の応答信号（１０）を元に閲覧端末機のＩＤを閲覧者特定ＩＤ（５）として取得する。
【００２８】
ＡＣＴＩＶＥ　ＸプログラムはＷＩＮＤＯＥＳ端末機のブラウザ上でも動くプログラムで閲覧者の端末機（１）に自動インストールさせ、ネットワークカードに固有に作られているＭＡＣアドレスや、端末機に内蔵されているハードディスクごとに固有のハードディスクボリュームシリアル番号などの閲覧端末機のＩＤを取得することできる。
【００２９】
ロ−６．クッキーによる閲覧者特定ＩＤの取得
詳細は「クッキーによる閲覧者特定ＩＤの取得」で後述するが、閲覧管理者のサーバが設定するクッキーの値を覧者特定ＩＤとして取得できる。
【００３０】
つぎに図１４を参照してホームページ特定ＩＤと閲覧者特定ＩＤを保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）はホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００３１】
ｂ）又上記対象ホームページ（Ｃ）閲覧時に上記サーバ（Ｚ）は閲覧者のＩＤ又は閲覧端末機のＩＤを閲覧者特定ＩＤ（Ｄ）として取得する。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００３２】
ｃ）上記サーバ（Ｚ）は上記ホームページ特定ＩＤ（Ｂ）及び上記閲覧者特定ＩＤ（Ｄ）を関連付けて記憶保存する。
上記ホームページ特定ＩＤ（Ｂ）及び上記閲覧者特定ＩＤ（Ｄ）を関連付けて記憶保存するためには上記ホームページ特定ＩＤ（Ｂ）毎に分別して上記閲覧者特定ＩＤ（Ｄ）を記憶保存するか、上記閲覧者特定ＩＤ（Ｄ）毎に分別して上記ホームページ特定ＩＤ（Ｂ）を記憶保存するか、上記ホームページ特定ＩＤ（Ｂ）及び上記閲覧者特定ＩＤ（Ｄ）をひとつのデータとして記憶保存する。
【００３３】
上記ａ、ｂ、ｃのいずれかの処理で日時も記録すれば閲覧日時も管理できる。
また上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００３４】
ｄ）上記ａ１からｃを繰り返す。
【００３５】
ｅ）閲覧者からの要求により上記サーバ（Ｚ）は上記関連付けられて記憶保存されたホームページ特定ＩＤ（Ｂ）及び閲覧者ＩＤ（Ｄ）からその要求した閲覧者の対象ホームページ（Ｃ）毎の閲覧回数を確認する。
【００３６】
上記ｅの処理は上記サーバ（Ｚ）をＷＷＷサーバとしてそのサーバ（Ｚ）内のＣＧＩを上記端末機（Ａ）のブラウザから呼び出しそのＣＧＩで処理して実現するのが容易である。
また個々の閲覧を得点で示し、特定の場合は点数を変えると言うことはよく行われている。
【００３７】
つぎに図１５を参照して閲覧証拠データを閲覧者の端末機に保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００３８】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００３９】
ｃ）上記サーバ（Ｚ）は上記ホームページ特定ＩＤ（Ｂ）及び上記閲覧者特定ＩＤ（Ｄ）を閲覧証拠データ（Ｅ）として上記閲覧端末機（Ａ）に送信しその記憶部に記憶保存せしめる。
【００４０】
上記ａ〜ｃで日時も記録すれば閲覧日時も管理できる。
また上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００４１】
ｄ）上記ａからｃを繰り返す。
【００４２】
ｅ）上記閲覧端末機（Ａ）から上記サーバ（Ｚ）へ上記ｃで記憶保存せしめられた複数の上記閲覧証拠データ（Ｆ）を送信し、上記サーバ（Ｚ）は該送信を受けた閲覧証拠データ（Ｇ）から閲覧者の対象ホームページ（Ｃ）毎の閲覧回数を確認し閲覧者に通知する。
【００４３】
上記ｅの処理は上記サーバ（Ｚ）をＷＷＷサーバとしてそのサーバ（Ｚ）内のＣＧＩを上記端末機（Ａ）のブラウザから呼び出しそのＣＧＩで閲覧証拠データをアップロードして処理して結果を表示して実現するか、
上記サーバ（Ｚ）をＷＷＷ兼ＦＴＰサーバとして端末機（Ａ）からそのＦＴＰサーバへ上記データを送信しサーバは直ちに閲覧回数を確認し、その後閲覧者はブラウザを用いてサーバ（Ｚ）のＷＷＷサーバにアクセスしその回数をブラウザで表示すればよい。
上記サーバ（Ｚ）をＳＭＴＰサーバとし電子メールの添付ファイルで送信し、結果または結果のホームページへのリンクを電子メールで返すことも比較的容易である。
また個々の閲覧を得点で示し、特定の場合は点数を変えると言うことはよく行われている。
【００４４】
上記ｅで一人の閲覧者から送信されたすべての閲覧者特定ＩＤ（Ｄ）が一致していることにより、閲覧しないで不正にデータを入手したものではない事がわかる。またホームページ特定ＩＤ（Ｂ）を調べれば、どのホームページを閲覧したかが分かる。また複数のホームページ閲覧者から送信された閲覧者特定ＩＤ（Ｄ）を調べ、異なるホームページ閲覧者の閲覧者特定ＩＤに一致するものがないことから、ホームページ閲覧者が不正に入手したデータを送信していないことが分かる。
複数のホームページ閲覧者から送信された閲覧者特定ＩＤ（Ｇ）を調べるためには送信された閲覧証拠データを記憶保存しておかなければならないが、閲覧証拠データ（Ｇ）に有効期限をつけ、有効期限を先にしらべて有効無効を確認すれば有効期限が切れた閲覧証拠データ（Ｇ）は記憶装置から消去できる。
【００４５】
つぎに図１６を参照して閲覧証拠データを画像データに書き込み閲覧者の端末機に保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００４６】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００４７】
ｃ）上記サーバ（Ｚ）は上記ホームページ特定ＩＤ（Ｂ）及び上記閲覧者特定ＩＤ（Ｄ）を閲覧証拠データ（Ｅ）として画像データ（Ｆ１）に埋め込み、該画像データ（Ｆ１）を上記端末機（Ａ）に送信しその記憶部に記憶保存せしめる。
【００４８】
画像データの多くのフォーマットでは画像に全く影響しないでデータを書き込むコメントエリアが準備されている。またす透かし技術などにより、あまり画像に影響を与えずにデータを書き込む方法もある。
【００４９】
上記ａ〜ｃで日時も記録すれば閲覧日時も管理できる。
また上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００５０】
ｄ．上記ａからｃのステップを繰り返し行う。
【００５１】
ｅ１）上記閲覧端末機（Ａ）から上記サーバ（Ｚ）へ上記ｃで記憶保存せしめられた複数の上記画像データ（Ｆ２）を送信し、ｅ２）上記サーバ（Ｚ）は該送信を受けた上記画像データ（Ｇ）に埋め込まれた閲覧証拠データから閲覧者の対象ホームページ毎の閲覧回数を確認し、ｅ３）閲覧を確認した上記画像データ（Ｇ）を上記閲覧者の上記端末機（Ａ）に送信し上記端末機の表示部（Ｈ）に画像として表示させることにより同閲覧者の対象ホームページ毎の閲覧を上記閲覧者に通知する。
【００５２】
上記ｅの処理は上記サーバ（Ｚ）をＷＷＷサーバとしてそのサーバ（Ｚ）内のＣＧＩを上記端末機（Ａ）のブラウザから呼び出しそのＣＧＩで閲覧証拠データをアップロードして処理して結果を表示して実現するか、
上記サーバ（Ｚ）をＷＷＷ兼ＦＴＰサーバとして端末機（Ａ）からそのＦＴＰサーバへ上記データを送信しサーバは直ちに閲覧回数を確認し、その後閲覧者はブラウザを用いてサーバ（Ｚ）のＷＷＷサーバにアクセスしその回数をブラウザで表示すればよい。
上記サーバ（Ｚ）をＳＭＴＰサーバとし電子メールの添付ファイルで送信し、結果または結果のホームページへのリンクを電子メールで返すことも比較的容易である。
また個々の閲覧を得点で示し、特定の場合は点数を変えると言うことはよく行われている。
【００５３】
上記ｅで一人の閲覧者から送信されたすべての画像データ（Ｇ）内の閲覧者特定ＩＤ（Ｄ）が一致していることにより、閲覧しないで不正にデータを入手したものではない事がわかる。またホームページ特定ＩＤ（Ｂ）を調べれば、どのホームページを閲覧したかが分かる。また複数のホームページ閲覧者から送信された画像データ（Ｇ）内の閲覧者特定ＩＤ（Ｄ）を調べ、異なるホームページ閲覧者の閲覧者特定ＩＤに一致するものがないことから、ホームページ閲覧者が不正に入手したデータを送信していないことが分かる。
複数のホームページ閲覧者から送信された画像データ（Ｇ）内の閲覧者特定ＩＤ（Ｄ）を調べるためには送信された画像データ（Ｇ）を記憶保存しておかなければならないが、画像データ（Ｇ）に有効期限をつけ、有効期限を先にしらべて有効無効を確認すれば有効期限が切れた画像データ（Ｇ）は記憶装置から消去できる。
【００５４】
つぎに図１７を参照して閲覧証拠データと設定期間を閲覧者の端末機に保存して閲覧を管理する方法を説明する。
【００５５】
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００５６】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００５７】
ｃ１）上記サーバ（Ｚ）は上記ホームページ特定ＩＤ（Ｂ）及び上記閲覧者特定ＩＤ（Ｄ）並びに閲覧日時データ（Ｔ）を閲覧証拠データ（Ｅ）とし、その閲覧証拠データ（Ｅ）と上記該対象ホームページのアドレス（Ｅ１）及び上記該対象ホームページに予め設定した期間や日時のデータ（Ｅ２）を上記閲覧端末機（Ａ）に送信し、ｃ２）送信された上記閲覧証拠データ（Ｆ）、上記アドレス（Ｆ１）及び上記期間のデータ（Ｆ２）を互いに関連付けてその記憶部（Ｊ）に記憶保存せしめる。
【００５８】
上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００５９】
ｄ）上記ａからｃを繰り返し行う。
【００６０】
ｅ）上記閲覧者の要求により上記閲覧端末機は上記ｃ２で記憶保存せしめられた上記閲覧証拠データ（Ｆ）を対象ホームページ毎にその表示部（Ｈ）に表示する。
【００６１】
ｆ１）同時に上記閲覧端末機（Ａ）は上記記憶保存せしめられた閲覧証拠データ（Ｆ）の中から対象ホームページ毎の最終閲覧日時と現在時刻（Ｉ）を比較し、ｆ２）該現在時刻（Ｉ）が上記端末機（Ａ）に記憶保存せしめられた該対象ホームページの上記予め設定した期間や日時のデータ（Ｆ２）を経過している場合は閲覧者に通知し、ｆ３）閲覧者からの要求により上記端末機（Ａ）に記憶保存せしめられた該対象ホームページのアドレス（Ｆ１）にアクセスし該対象ホームページを開く。
【００６２】
上記ｅからｆの処理は上記端末機（Ａ）に専用ソフトをインストールして行う。専用ソフトをＡＣＴＩＶＥ　Ｘとして端末機（Ａ）のブラウザとシームレスに動作するようにすれば使い勝手は向上する。
確認の通知はその画面上で図示したように一覧などで表示して実現すれば見やすく容易である。期間の経過は画面上で期間が経過したことを点滅や、色を変えるなど表示を変えて通知すればよい。
【００６３】
ｇ１）上記閲覧端末機（Ａ）から上記サーバ（Ｚ）へ複数の上記閲覧証拠データ（Ｆ）を送信し、ｇ２）上記サーバ（Ｚ）は該送信を受けた閲覧証拠データ（Ｇ）から閲覧者の対象ホームページ毎の閲覧回数とその日時を確認し、ｇ３）閲覧者に通知する。
【００６４】
上記ｇの処理は上記サーバ（Ｚ）をＷＷＷサーバとしてそのサーバ（Ｚ）内のＣＧＩを上記端末機（Ａ）のブラウザから呼び出しそのＣＧＩで閲覧証拠データをアップロードして処理して結果を表示して実現するか、
上記サーバ（Ｚ）をＷＷＷ兼ＦＴＰサーバとして端末機（Ａ）からそのＦＴＰサーバへ上記データを送信しサーバは直ちに閲覧回数を確認し、その後閲覧者はブラウザを用いてサーバ（Ｚ）のＷＷＷサーバにアクセスしその回数をブラウザで表示すればよい。
上記サーバ（Ｚ）をＳＭＴＰサーバとし電子メールの添付ファイルで送信し、結果または結果のホームページへのリンクを電子メールで返すことも比較的容易である。
また個々の閲覧を得点で示し、特定の場合は点数を変えると言うことはよく行われている。
【００６５】
上記ｇで一人の閲覧者から送信されたすべての閲覧者特定ＩＤ（Ｄ）が一致していることにより、閲覧しないで不正にデータを入手したものではない事がわかる。またホームページ特定ＩＤ（Ｂ）を調べれば、どのホームページを閲覧したかが分かる。また複数のホームページ閲覧者から送信された閲覧者特定ＩＤ（Ｄ）を調べ、異なるホームページ閲覧者の閲覧者特定ＩＤに一致するものがないことから、ホームページ閲覧者が不正に入手したデータを送信していないことが分かる。
複数のホームページ閲覧者から送信された閲覧者特定ＩＤ（Ｄ）を調べるためには送信された閲覧証拠データを記憶保存しておかなければならないが、閲覧証拠データ（Ｇ）に有効期限をつけ、有効期限を先にしらべて有効無効を確認すれば有効期限が切れた閲覧証拠データ（Ｇ）は記憶装置から消去できる。
【００６６】
次に図１８を参照して、閲覧証拠データと期間を画像データに書き込み端末機に保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００６７】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００６８】
ｃ１）上記サーバ（Ｚ）は上記ホームページ特定ＩＤ（Ｂ）及び上記閲覧者特定ＩＤ（Ｄ）並びに閲覧日時データ（Ｔ）を閲覧証拠データ（Ｅ）とし、その閲覧証拠データ（Ｅ）と上記該対象ホームページのアドレス（Ｍ）及び上記該対象ホームページに予め設定した期間や日時のデータ（Ｋ）を画像データ（Ｅ３）に埋め込み、ｃ２）その画像データ（Ｅ３）上記閲覧端末機（Ａ）に送信し、ｃ３）送信された上記画像データ（Ｆ）をその記憶部（Ｊ）に記憶保存せしめる。
【００６９】
画像データの多くのフォーマットでは画像に全く影響しないでデータを書き込むコメントエリアが準備されている。またす透かし技術などにより、あまり画像に影響を与えずにデータを書き込む方法もある。
【００７０】
上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００７１】
上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００７２】
ｄ）上記ａからｃを繰り返し行う。
【００７３】
ｅ）上記閲覧者の要求により上記閲覧端末機は上記ｃ３で記憶保存せしめられた上記画像データ（Ｆ）を対象ホームページ毎に画像としてその表示部（Ｈ）に表示する。
【００７４】
ｆ１）同時に上記閲覧端末機（Ａ）は上記画像データ（Ｆ）に埋め込まれた閲覧証拠データから対象ホームページ毎の最終閲覧日時と現在時刻（Ｉ）を比較し、ｆ２）該現在時刻（Ｉ）が上記画像データ（Ｆ）に埋め込まれた該対象ホームページの上記予め設定した期間や日時のデータ（Ｋ）を経過している場合は閲覧者に通知し、ｆ３）閲覧者からの要求により上記画像データ（Ｆ）に埋め込まれた該対象ホームページのアドレス（Ｍ）にアクセスし該対象ホームページを開く。
【００７５】
上記ｅからｆの処理は上記端末機（Ａ）に専用ソフトをインストールして行う。専用ソフトをＡＣＴＩＶＥ　Ｘとして端末機（Ａ）のブラウザとシームレスに動作するようにすれば使い勝手は向上する。
確認の通知はその画面上で図示したように一覧などで表示して実現すれば見やすく容易である。期間の経過は画面上で期間が経過したことを点滅や、色を変えるなど表示を変えて通知すればよい。
【００７６】
ｇ１）上記閲覧端末機（Ａ）から上記サーバ（Ｚ）へ複数の上記画像データ（Ｆ）を送信し、ｇ２）上記サーバ（Ｚ）は該送信を受けた画像データに埋め込まれた閲覧証拠データ（Ｇ）から閲覧者の対象ホームページ毎の閲覧回数とその日時を確認し、ｇ３）閲覧者に通知する。
【００７７】
上記ｇの処理は上記サーバ（Ｚ）をＷＷＷサーバとしてそのサーバ（Ｚ）内のＣＧＩを上記端末機（Ａ）のブラウザから呼び出しそのＣＧＩで閲覧証拠データをアップロードして処理して結果を表示して実現するか、
上記サーバ（Ｚ）をＷＷＷ兼ＦＴＰサーバとして端末機（Ａ）からそのＦＴＰサーバへ上記データを送信しサーバは直ちに閲覧回数を確認し、その後閲覧者はブラウザを用いてサーバ（Ｚ）のＷＷＷサーバにアクセスしその回数をブラウザで表示すればよい。
上記サーバ（Ｚ）をＳＭＴＰサーバとし電子メールの添付ファイルで送信し、結果または結果のホームページへのリンクを電子メールで返すことも比較的容易である。
また個々の閲覧を得点で示し、特定の場合は点数を変えると言うことはよく行われている。
【００７８】
一人の閲覧者から送信されたすべてのデータの閲覧者特定ＩＤ（Ｄ）が一致していることにより、閲覧しないで不正にデータを入手したものではない事がわかる。またホームページ特定ＩＤ（Ｂ）を調べれば、どのホームページを閲覧したかが分かる。また複数のホームページ閲覧者から送信された閲覧者特定ＩＤ（Ｄ）を調べ、異なるホームページ閲覧者の閲覧者特定ＩＤに一致するものがないことから、ホームページ閲覧者が不正に入手したデータを送信していないことが分かる。
複数のホームページ閲覧者から送信された閲覧者特定ＩＤ（Ｇ）を調べるためには送信されたデータを記憶保存しておかなければならないが、画像データ（Ｇ）に有効期限をつけ、有効期限を先にしらべて有効無効を確認すれば有効期限が切れた画像データ（Ｇ）は記憶装置から消去できる。
【００７９】
図１９を参照して閲覧を確認通知する際に予め設定した期間から閲覧を促す方法を説明する。
ｄ１）閲覧端末機（Ａ）から閲覧管理者のサーバ（Ｚ）へ複数の閲覧証拠データ（Ｆ１、Ｆ２）を送信し、ｄ２）そのサーバは該送信を受けた閲覧証拠データ（Ｇ１、Ｇ２）から閲覧者の対象ホームページ毎の閲覧回数とその日時を確認し閲覧者に通知する場合に、
ｅ１）上記サーバ（Ｚ）は上記閲覧者の対象ホームページ毎の最終閲覧日時（Ｇ３）と現在時刻（Ｈ）を比較し、ｅ２）該現在時刻が対象ホームページ毎に上記サーバに予め設定した期間や日時（Ｉ）を経過している場合は、ｅ３）上記閲覧者に通知する。
【００８０】
上記処理は上記サーバ（Ｚ）をＷＷＷサーバとして、閲覧端末機（Ａ）がそのサーバ（Ｚ）内のファイルをアップロードするＣＧＩをアクセスして送信し、引き続きそのＣＧＩ内で実現すれば容易である。
また送信がＣＧＩのアップロードでない場合は別途ＣＧＩをアクセスするか、電子メールを閲覧者へ送信し実現する。
【００８１】
図２０を参照して閲覧者特定ＩＤを再取得し閲覧を確認通知する方法を説明する。
閲覧証拠データ（Ｆ１）または閲覧証拠データが埋め込まれた画像データ（Ｆ２）を閲覧管理者のサーバ（Ｚ）に送信する時に上記閲覧者は上記サーバ（Ｚ）へアクセスして上記複数の閲覧証拠データ（Ｆ１）又は上記画像データ（Ｆ２）を送信する。
【００８２】
この送信は上記サーバ（Ｚ）をＷＷＷサーバとして、そのサーバ（Ｚ）内のファイルをアップロードするＣＧＩをアクセスして実現すれば容易である。
【００８３】
上記サーバ（Ｚ）はそのアクセス信号を元に閲覧者のＩＤ又は閲覧端末機のＩＤを閲覧者特定ＩＤ（Ｑ）として再取得し、上記送信された複数の閲覧証拠データ（Ｇ１）又は上記画像データ（Ｇ２）の中の閲覧時の閲覧者特定ＩＤ（Ｇ３）と、上記再取得した閲覧者特定ＩＤ（Ｑ）とを比較しその一致不一致を確認し上記送信を受けた上記閲覧証拠データ（Ｇ１）又は上記画像データ（Ｇ２）から上記において一致を確認した閲覧者の対象ホームページ毎の閲覧回数を確認し閲覧者に通知する。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００８４】
上記アップロードＣＧＩが引き続き確認処理を行い、そのＣＧＩからの応答データをブラウザ上で表示して通知して実現すれば容易である。
【００８５】
つぎに図２１を参照して閲覧証拠データを閲覧管理者のサーバに保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００８６】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００８７】
ｃ）上記サーバは（Ｚ）上記ホームページ特定ＩＤ（Ｂ）と上記閲覧者特定ＩＤ（Ｄ）を関連付けて上記サーバ（Ｚ）の記憶部に記憶保存する。
上記ホームページ特定ＩＤ（Ｂ）及び上記閲覧者特定ＩＤ（Ｄ）を関連付けて記憶保存するためには上記ホームページ特定ＩＤ（Ｂ）毎に分別して上記閲覧者特定ＩＤ（Ｄ）を記憶保存するか、上記閲覧者特定ＩＤ（Ｄ）毎に分別して上記ホームページ特定ＩＤ（Ｂ）を記憶保存するか、上記ホームページ特定ＩＤ（Ｂ）及び上記閲覧者特定ＩＤ（Ｄ）をひとつのデータとして記憶保存する。
【００８８】
上記ａ〜ｃで日時も記録すれば閲覧日時も管理できる。
また上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００８９】
ｄ）上記ａからｃを繰り返し行う。
【００９０】
ｅ）上記閲覧者は端末機（Ａ）を用い上記サーバ（Ｚ）へアクセスして同閲覧者の対象ホームページ毎の閲覧回数の確認を要求する。
【００９１】
ｆ）又上記ｅにおける上記アクセス時に上記サーバ（Ｚ）は該サーバ（Ｚ）へのアクセス信号及び／又はそれに引く続く上記端末機との通信を元に閲覧者のＩＤ又は閲覧端末機のＩＤを閲覧者特定ＩＤ（Ｑ）として再取得するステップ。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００９２】
ｇ）上記サーバ（Ｚ）は上記ｃで記憶保存されたＩＤの中から、上記再取得した閲覧者特定ＩＤ（Ｑ）と一致する閲覧者特定ＩＤ（Ｄ）と関連付けられたホームページ特定ＩＤ（Ｇ）を集め、ホームページ特定ＩＤ（Ｇ）ごとに並び替え同閲覧者の対象ホームページ毎の閲覧回数を確認し上記閲覧者に通知する。
【００９３】
上記ｅ〜ｇの処理は上記サーバ（Ｚ）をＷＷＷサーバとして、そのサーバ（Ｚ）内の閲覧回数を確認表示するＣＧＩをｇの要求時にアクセスして引き続き処理して実現すれば容易である。
また表示部（Ｈ）に図示したように個々の閲覧を得点で示し、特定の場合は点数を変えると言うことはよく行われている。
【００９４】
つぎに図２２を参照して閲覧証拠データを画像データに書き込みサーバに保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【００９５】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【００９６】
ｃ）上記サーバ（Ｚ）は上記ホームページ特定ＩＤ（Ｂ）及び上記閲覧者特定ＩＤ（Ｄ）を閲覧証拠データ（Ｅ１）として画像データ（Ｅ２）に埋め込み、該画像データ（Ｅ２）を上記サーバ（Ｚ）の記憶部に記憶保存する。
上記ａ〜ｃの処理は上記サーバ（Ｚ）をＷＷＷサーバとしてそのサーバ（Ｚ）内のＣＧＩを上記端末機（Ａ）のブラウザからａの最初のアクセス時に呼び出しそのＣＧＩで処理して実現するのが容易である。
【００９７】
ｄ）上記ａからｃを繰り返し行う。
【００９８】
ｅ）上記閲覧者は端末機（Ａ）を用い上記サーバ（Ｚ）へアクセスして同閲覧者の対象ホームページ（Ｃ）毎の閲覧回数の確認を要求する。
この要求は上記サーバ（Ｚ）をＷＷＷサーバとして、閲覧回数を確認表示するＣＧＩに対して実現すれば容易である。
【００９９】
ｆ）又上記ｅにおける上記アクセス時に上記サーバ（Ｚ）は該サーバへのアクセス信号及び／又はそれに引く続く上記端末機（Ａ）との通信を元に閲覧者のＩＤ又は閲覧端末機のＩＤを閲覧者特定ＩＤ（Ｑ）として再取得するステップ。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【０１００】
ｇ１）上記サーバは上記再取得した閲覧者特定ＩＤ（Ｑ）と一致する閲覧者特定ＩＤ（Ｄ）をもつ上記記憶保存した画像データの中（Ｇ）の上記閲覧証拠データ（Ｅ１）から同閲覧者の対象ホームページ（Ｃ）毎の閲覧回数を確認し、ｇ２）上記画像データ（Ｇ）を対象ホームページ毎に上記端末機の表示部（Ｈ）に画像として表示させることにより、ｇ３）同閲覧者の閲覧回数を上記閲覧者に通知する。
【０１０１】
上記ｅ〜ｇの処理は上記サーバ（Ｚ）をＷＷＷサーバとして、そのサーバ（Ｚ）内の閲覧回数を確認表示するＣＧＩをｇの要求時にアクセスして引き続き処理して実現すれば容易である。上記画像データ（Ｇ）はそのＣＧＩからのデータでリンクしてブラウザ上で画像として表示する。
また個々の閲覧を得点で示し、特定の場合は点数を変えると言うことはよく行われている。
【０１０２】
つぎに図２３を参照して閲覧証拠データを設定期間と共に閲覧管理者のサーバに保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【０１０３】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得すると共に、その時刻を閲覧日時データ（Ｔ）として取得する。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【０１０４】
ｃ）上記サーバ（Ｚ）は上記ホームページ特定ＩＤ（Ｂ）及び上記閲覧者特定ＩＤ（Ｄ）を閲覧証拠データ（Ｅ）として上記サーバ（Ｚ）の記憶部に記憶保存する。
【０１０５】
上記ａ〜ｃの処理は上記サーバ（Ｚ）をＷＷＷサーバとしてそのサーバ（Ｚ）内のＣＧＩを上記端末機（Ａ）のブラウザから上記ａの最初のアクセス時に呼び出しそのＣＧＩで処理して実現するのが容易である。
【０１０６】
ｄ）上記ａからｃを繰り返し行う。
【０１０７】
ｅ）上記閲覧者は端末機（Ａ）を用い上記サーバ（Ｚ）へアクセスして同閲覧者の対象ホームページ（Ｃ）毎の閲覧回数の確認を要求する。
【０１０８】
ｆ）又上記ｅにおける上記アクセス時に上記サーバ（Ｚ）は該サーバ（Ｚ）へのアクセス信号及び／又はそれに引く続く上記端末機（Ａ）との通信を元に閲覧者のＩＤ又は閲覧端末機のＩＤを閲覧者特定ＩＤ（Ｑ）として再取得する。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【０１０９】
ｇ）上記サーバ（Ｚ）は上記再取得した閲覧者特定ＩＤ（Ｑ）と一致する閲覧者特定ＩＤ（Ｄ）を持つ上記ｃの閲覧証拠データ（Ｅ）から同閲覧者の対象ホームページ（Ｃ）毎の閲覧を確認し上記閲覧者に通知する。
【０１１０】
ｈ）同時に上記サーバ（Ｚ）は対象ホームページ（Ｃ）毎の最終閲覧日時（Ｌ）と現在時刻（Ｉ）を比較し、該現在時刻（Ｉ）が該対象ホームページ（Ｃ）に予め設定した期間や日時（Ｋ）を経過している場合は該対象ホームページのアドレス（Ｍ）をリンク先として埋め込んで上記閲覧者に通知する。
【０１１１】
上記ｅ〜ｈの処理は上記サーバ（Ｚ）をＷＷＷサーバとしてそのサーバ（Ｚ）内のＣＧＩを上記端末機（Ａ）のブラウザから上記ｅの最初のアクセス時に呼び出しそのＣＧＩで処理して実現するのが容易である。確認の通知はそのＣＧＩからの応答データをブラウザ上で図示したように一覧などで表示して実現すれば見やすく容易である。期間の経過はブラウザ上で期間が経過したことを点滅や、色を変えるなど表示を変えて通知すればよい。リンク先が埋め込まれているので閲覧者は容易に該対象ホームページを閲覧することが出来る。
また個々の閲覧を得点で示し、特定の場合は点数を変えると言うことはよく行われている。
【０１１２】
つぎに図２４を参照して閲覧証拠データの記録を閲覧管理者のサーバに保存して閲覧を管理する方法を説明する。
ａ１）ホームページ閲覧者が端末機（Ａ）を用い対象ホームページのひとつ（Ｃ）を閲覧する時に、ａ２）ホームページ閲覧管理者のサーバ（Ｚ）へもアクセス信号を送信させ、その閲覧管理者のサーバ（Ｚ）は上記アクセス信号を元にホームページ特定ＩＤ（Ｂ）を取得する。
ホームページ特定ＩＤを取得するには、段落（０００８）「イ．共通実施例−ホームページ特定ＩＤの取得」から段落（００１９）「イ−７．プロキシサーバによるホームページ特定ＩＤの取得」までに既述した方法がある。
【０１１３】
ｂ）又上記対象ホームページ（Ｃ）閲覧時に上記サーバ（Ｚ）は上記サーバ（Ｚ）へのアクセス信号及び／又はそれに引く続く上記端末機（Ａ）との通信を元に、閲覧者のＩＤ又は閲覧端末機のＩＤを閲覧者特定ＩＤ（Ｄ）として取得する。閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【０１１４】
ｃ）上記サーバ（Ｚ）は上記ホームページ特定ＩＤ（Ｂ）および上記閲者特定ＩＤ（Ｄ）を閲覧証拠データ（Ｅ）とし、上記サーバ（Ｚ）上で保存された閲覧証拠管理ファイル（Ｎ）上に、上記閲覧証拠データ（Ｅ）の記録が有るか否かチェックする。
【０１１５】
ｄ）上記ｃの上記閲証拠データ（Ｅ）の記録が有るか否かのチェックで上記閲覧証拠データ（Ｅ）の記録が無い場合は、上記閲覧証拠データ（Ｅ）で上記覧証拠管理ファイル（Ｎ）に記録を作成し、その記録の閲覧回数（Ｐ）を１、最終閲覧日時（Ｌ）を現在時刻（Ｉ）で記録する
【０１１６】
ｅ１）上記ｃの上記閲覧証拠データ（Ｅ）の記録が有るか否かのチェックで上記閲覧証拠データ（Ｅ）の記録があり、ｅ２）かつ現在時刻（Ｉ）が対象ホームページ毎にサーバに予め設定した期間や日時（Ｋ）を経過している場合は、ｅ３）記録されている閲覧回数（Ｐ）を加算し最終閲覧日時（Ｌ）を現在時刻（Ｉ）で更新する。
【０１１７】
上記ａ〜ｅの処理は上記サーバ（Ｚ）をＷＷＷサーバとしてそのサーバ（Ｚ）内のＣＧＩを上記端末機（Ａ）のブラウザから上記ａの最初のアクセス時に呼び出しそのＣＧＩで処理して実現するのが容易である。
【０１１８】
ｆ）ａからｅを繰り返し行う。
【０１１９】
ｇ）上記閲覧者は端末機（Ａ）を用い上記サーバ（Ｚ）へアクセスして同閲覧者の対象ホームページ（Ｃ）毎の閲覧回数（Ｐ）の確認を要求する。
【０１２０】
ｈ）又上記ｅにおける上記アクセス時に上記サーバ（Ｚ）は該サーバ（Ｚ）へのアクセス及び／又はそれに引く続く上記端末機（Ａ）との通信を元に閲覧者のＩＤ又は閲覧端末機のＩＤを閲覧者特定ＩＤ（Ｑ）として再取得する。
閲覧者特定ＩＤを取得するには段落（００２０）「ロ．共通実施例−閲覧者特定ＩＤの取得」から段落（００２９）「ロ−６．クッキーによる閲覧者特定ＩＤの取得」までに既述した方法がある。
【０１２１】
ｉ）上記サーバ（Ｚ）は上記ｇで再取得した閲覧者特定ＩＤ（Ｑ）を持つ閲覧証拠管理ファイル（Ｎ）上の閲覧証拠データ（Ｅ）の記録から対象ホームページ（Ｃ）毎の閲覧回数（Ｐ）を上記閲覧者に通知する。
【０１２２】
ｊ）また上記通知時に、上記サーバ（Ｚ）は上記閲覧者の上記対象ホームページ（Ｃ）毎の最終閲覧日時（Ｌ）と現在時刻（Ｉ）を比較し、該現在時刻（Ｉ）が対象ホームページ（Ｃ）毎に上記サーバ（Ｚ）に予め設定した期間や日時（Ｌ）を経過している場合は、該対象ホームページのアドレス（Ｍ）をリンク先として埋め込んで上記期間日時（Ｋ）の経過を通知する。
【０１２３】
上記ｇ〜ｊの処理は上記サーバ（Ｚ）をＷＷＷサーバとしてそのサーバ（Ｚ）内のＣＧＩを上記端末機（Ａ）のブラウザから上記ｇの最初のアクセス時に呼び出しそのＣＧＩで処理して実現するのが容易である。確認の通知はそのＣＧＩからの応答データを端末機（Ａ）のブラウザ上で図示したように一覧などで表示して実現すれば見やすく容易である。期間の経過はブラウザ上で期間が経過したことを点滅や、色を変えるなど表示を変えて通知すればよい。リンク先が埋め込まれているので閲覧者は容易に該対象ホームページを閲覧することが出来る。
また個々の閲覧を得点で示し、特定の場合は点数を変えると言うことはよく行われている。
【０１２４】
つぎに図２５を参照して端末機にホームページ特定ＩＤのクッキーを設定し閲覧を管理する方法を説明する。
ａ）閲覧管理者のサーバ（Ｚ）は閲覧者の端末機（Ｚ）に上記サーバ（Ｚ）がホームページ特定ＩＤ用として設定したクッキー（Ｓ）に、上記取得したホームページ特定ＩＤ（Ｂ）の値があるか確認する。
【０１２５】
ｂ）上記サーバ（Ｚ）は上記サーバ（Ｚ）へのアクセス信号及び／又はそれに引く続く、上記ａにおいて確認されたホームページ特定ＩＤ（Ｂ）の値がある端末機（Ａ）との通信を元に、閲覧者のＩＤ又は閲覧端末機のＩＤを閲覧者特定ＩＤ（Ｄ）として取得する。
【０１２６】
上記ａ〜ｂの処理は上記サーバ（Ｚ）をＷＷＷサーバとして上記ａの前処理であるホームページ特定ＩＤ（Ｂ）取得時からの一連のＣＧＩで処理して実現するのが容易である。端末機（Ａ）毎の閲覧管理の対象ホームページが端末機（Ａ）のクッキーにホームページ特定ＩＤ（Ｂ）の値があるものだけに限られる。
【０１２７】
クッキーによる閲覧者特定ＩＤの取得
つぎに図２６を参照して端末機に閲覧者特定ＩＤのクッキーを設定し閲覧者特定ＩＤを取得する方法を説明する。
ａ）閲覧管理者のサーバ（Ｚ）は閲覧者の端末機（Ｚ）に上記サーバ（Ｚ）が閲覧者特定ＩＤとして設定したクッキーの値（Ｕ）があるか確認する。
【０１２８】
ｂ）上記ａの確認において上記サーバ（Ｚ）が閲覧者特定ＩＤとして設定したクッキーの値（Ｕ）がない場合は上記サーバ（Ｚ）は一意のＩＤ（Ｖ）を発行し、その発行した一意のＩＤ（Ｖ）の値を閲覧者特定ＩＤとして上記端末機のクッキーに設定し、閲覧者特定ＩＤ（Ｄ）としてその一意のＩＤ（Ｖ）を用いる。
【０１２９】
ｃ）上記ａの確認において、上記サーバ（Ｚ）が閲覧者特定ＩＤとして設定したクッキーの値（Ｕ）が設定されている場合はそのクッキーの値（Ｕ）を閲覧者特定ＩＤ（Ｄ）として取得する。
【０１３０】
上記ａ〜ｃの処理は上記サーバ（Ｚ）をＷＷＷサーバとして上記ａの前処理であるホームページ特定ＩＤ取得時からの一連のＣＧＩで処理して実現するのが容易である。一意のＩＤ（Ｖ）をサーバ（Ｚ）から端末機（Ａ）に設定し、それを閲覧者特定ＩＤ（Ｄ）として使用することにより、閲覧者特定ＩＤ（Ｄ）の一意性は保証されるようになる。
【０１３１】
次に図２７を参照して自動閲覧者特定ＩＤか手動閲覧者特定ＩＤを取得、管理する方法を説明する。
ａ）ホームページ閲覧者が端末機（Ａ）を用い対象ホームページのひとつを閲覧する時に、閲覧管理者のサーバ（Ｚ）は上記閲覧者に入力させることなく、そのサーバ（Ｚ）へのアクセス信号及び／又はそれに引く続く閲覧者の端末機（Ａ）との通信を元に取得できる閲覧者特定ＩＤを自動取得閲覧者特定ＩＤ（Ｄ１）として取得する。
【０１３２】
ｂ１）上記閲覧者からの要求により上記サーバ（Ｚ）は閲覧者に入力させて取得する閲覧者特定ＩＤ（Ｄ２）（以下手動閲覧者特定ＩＤ）を設定し、ｂ２）上記自動閲覧者特定ＩＤ（Ｄ１）と対にして上記サーバ（Ｚ）の記憶装置上の自動手動ＩＤファイル（Ｏ）に保存する。
ｂ３）手動閲覧者特定ＩＤの設定は上記サーバ（Ｚ）上記閲覧者に入力させ、ｂ４）手動閲覧者特定ＩＤ（Ｄ２）を取得するか、ｂ５）手動取得閲覧者特定ＩＤ（Ｄ２）を発行して上記閲覧者に通知すればよい。
ｂ６）また事前に上記自動閲覧者特定ＩＤ（Ｄ１）と対になる手動閲覧者特定ＩＤ（Ｄ２）がサーバ（Ｚ）上の記憶装置の自動手動ＩＤファイル（Ｏ）に記憶保存されていないか否かを確認して、保存されていない場合に手動閲覧者特定ＩＤ（Ｄ２）を設定するのがよい。
【０１３３】
ｃ１）上記サーバ（Ｚ）は上記閲覧者の選択により上記自動閲覧者特定ＩＤ（Ｄ１）か、ｃ２）上記手動閲覧者特定ＩＤ（Ｄ２）を閲覧者特定ＩＤ（Ｄ）として取得する。
【０１３４】
上記ａ〜ｃの処理は上記サーバ（Ｚ）をＷＷＷサーバとして上記ａの前処理であるホームページ特定ＩＤ取得時からの一連のＣＧＩで処理して実現するのが容易である。
手動閲覧者特定ＩＤ（Ｄ２）は自動手動ファイル（Ｏ）の中で一意であることが重要であるので、ホームページ閲覧者が端末機上で入力して設定する場合には、メールアドレスなど一意になりやすいＩＤを使うか、閲覧管理者のサーバ（Ｚ）内で調べて確認する必要がある。
【０１３５】
これは普段よく使用する端末機で、自動閲覧者特定ＩＤ（Ｄ１）と結びつけて手動閲覧者特定ＩＤ（Ｄ２）を設定しておき、たまにしか使わない端末機で対象ホームページを閲覧した場合に、その端末機の自動閲覧者特定ＩＤ（Ｄ１）ではなく手動閲覧者特定ＩＤ（Ｄ２）を入力してその端末機の自動閲覧者特定ＩＤ（Ｄ１）に優先させ、対になった自動閲覧者特定ＩＤ（Ｄ１）と手動閲覧者特定ＩＤ（Ｄ２）を同じものとみなすためである。
【０１３６】
次に図２８、図２９を参照して手動閲覧者特定ＩＤを使う場合のホームページ閲覧者の端末機上の画面の動きについて説明する。
自動閲覧者特定ＩＤと対になる手動閲覧者特定ＩＤが保存されていない場合は図２８に有るようにホームページ閲覧者の端末機の画面（Ａ１）に手動登録ボタン（Ａ１）と、手動入力ボタン（Ａ２）を表示させる。このようにしてこの端末機の自動閲覧者特定ＩＤと対になる手動閲覧者特定ＩＤを設定、保存（＝登録）するか、別の端末機で登録した手動取得閲覧者特定ＩＤを入力するか選択させることが出来る。
手動閲覧者特定ＩＤは本システムで初めて閲覧者特定ＩＤを取得する際や、手動閲覧者特定ＩＤが登録されていない場合などに自動的に入力を促してもよい。
【０１３７】
自動閲覧者特定ＩＤと対になる手動閲覧者特定ＩＤが保存されている場合は手動閲覧者特定ＩＤを登録する必要がないので、図２９に有るようにホームページ閲覧者の端末機の画面（Ａ１）に手動入力ボタン（Ａ３）だけを表示させる。
【０１３８】
つぎに図３０、図３１を参照して閲覧証拠データをハッシュ演算して改竄を防ぐ方法を説明する。
閲覧管理者のサーバ（Ｚ）はホームページ特定ＩＤ（Ｂ）を別のＩＤ（Ｂ１）に置換しそのホームページ特定ＩＤ（Ｂ）と該置換ＩＤ（Ｂ１）を関連付けてその記憶部に記憶し、
図３０に示すように少なくとも該置換ＩＤ（Ｂ１）と閲覧者特定ＩＤ（Ｂ）をハッシュ演算し、該ハッシュ演算データ（Ｄ１）とホームページ特定ＩＤ（Ｂ）及び閲覧者特定ＩＤ（Ｄ）を閲覧証拠データ（Ｅ）とするか
図３１に示すように少なくともホームページ特定ＩＤ（Ｂ）及び閲覧者特定ＩＤ（Ｄ）をハッシュ演算し、該ハッシュ演算データ（Ｄ１）と該置換ＩＤ（Ｂ１）及び閲覧閲覧者特定Ｉ（Ｄ）Ｄを閲覧証拠データ（Ｅ）とする。
【０１３９】
ホームページ特定ＩＤ（Ｂ）か閲覧者特定ＩＤ（Ｄ）又は置換ＩＤ（Ｂ１）か閲覧者特定ＩＤ（Ｄ）が改竄されてもハッシュ演算データ（Ｄ１）が作成できないので閲覧管理者は改竄されたことが分かる。またハッシュ演算法を知っても元となるホームページ特定ＩＤ（Ｂ）か置換ＩＤ（Ｂ１）は分からないのでハッシュ演算データ（Ｄ１）を作成することは出来ない。
【０１４０】
つぎに図３２、図３３を参照して閲覧証拠データをハッシュ演算して改竄を防ぐ方法を説明する。
閲覧管理者のサーバ（Ｚ）はホームページ特定ＩＤ（Ｂ）を別のＩＤ（Ｂ１）に置換しそのホームページ特定ＩＤ（Ｂ）と該置換ＩＤ（Ｂ１）を関連付けてその記憶部に記憶し、
図３２に示すように少なくとも該置換ＩＤ（Ｂ１）及び閲覧者特定ＩＤ（Ｂ）並びに閲覧日時データ（Ｔ）をハッシュ演算し、該ハッシュ演算データ（Ｄ１）とホームページ特定ＩＤ（Ｂ）及び閲覧者特定ＩＤ（Ｄ）並びに閲覧日時データ（Ｔ）を閲覧証拠データ（Ｅ）とするか
図３３に示すように少なくともホームページ特定ＩＤ（Ｂ）及び閲覧者特定ＩＤ（Ｄ）並びに閲覧日時データ（Ｔ）をハッシュ演算し、該ハッシュ演算データ（Ｄ１）と該置換ＩＤ（Ｂ１）及び閲覧閲覧者特定ＩＤ（Ｄ）並びに閲覧日時データ（Ｔ）を閲覧証拠データ（Ｅ）とする。
【０１４１】
ホームページ特定ＩＤ（Ｂ）、閲覧者特定ＩＤ（Ｄ）、閲覧日時データ又は置換ＩＤ（Ｂ１）、閲覧者特定ＩＤ（Ｄ）、閲覧日時データ（Ｔ）の内いずれが改竄されてもハッシュ演算データ（Ｄ１）が作成できないので閲覧管理者は改竄されたことが分かる。またハッシュ演算法を知っても元となるホームページ特定ＩＤ（Ｂ）か置換ＩＤ（Ｂ１）は分からないのでハッシュ演算データ（Ｄ１）を作成することは出来ない。
【図面の簡単な説明】
【図１】閲覧証拠データを保存して閲覧を管理するシステム構成
【図２】閲覧証拠データを閲覧端末機に保存して閲覧を管理するシステム構成
【図３】閲覧証拠データをサーバに保存して閲覧を管理するシステム構成
【図４】同一サーバでホームページ特定ＩＤを取得する方法
【図５】コンテンツのリンクによるホームページ特定ＩＤを取得する方法
【図６】リンクページによるホームページ特定ＩＤを取得する方法
【図７】リダイレクトによるホームページ特定ＩＤを取得する方法
【図８】プロキシサーバでホームページ特定ＩＤを取得する方法
【図９】プロトコルから閲覧者特定ＩＤを取得する方法
【図１０】閲覧後に閲覧者特定ＩＤを閲覧管理者のホームページ上で入力させ取得する方法
【図１１】閲覧者特定ＩＤを対象ホームページ上で入力させ取得する方法
【図１２】閲覧前に閲覧者特定ＩＤを閲覧管理者のホームページ上で入力させ取得する方法
【図１３】閲覧者特定ＩＤを端末機上のプログラムで取得する方法
【図１４】ホームページ特定ＩＤと閲覧者特定ＩＤを保存して閲覧を管理する方法
【図１５】閲覧証拠データを閲覧者の端末機に保存して閲覧を管理する方法
【図１６】閲覧証拠データを画像データに書き込み閲覧者の端末機に保存して閲覧を管理する方法
【図１７】閲覧証拠データをと設定期間を閲覧者の端末機に保存して閲覧を管理する方法
【図１８】閲覧証拠データと期間を画像データに書き込み端末機に保存して閲覧を管理する方法
【図１９】閲覧を確認通知する際に予め設定した期間から閲覧を促す方法
【図２０】閲覧者特定ＩＤを再取得し閲覧を確認通知する方法
【図２１】閲覧証拠データを閲覧管理者のサーバに保存して閲覧を管理する方法
【図２２】閲覧証拠データを画像データに書き込みサーバに保存して閲覧を管理する方法
【図２３】閲覧証拠データを設定期間と共に閲覧管理者のサーバに保存して閲覧を管理する方法
【図２４】閲覧証拠データの記録を閲覧管理者のサーバに保存して閲覧を管理する方法
【図２５】端末機にホームページ特定ＩＤのクッキーを設定し閲覧を管理する方法
【図２６】端末機に閲覧者特定ＩＤのクッキーを設定し閲覧者特定ＩＤを取得する方法
【図２７】自動閲覧者特定ＩＤか手動閲覧者特定ＩＤを取得、管理する方法
【図２８】端末機の画面の動き（手動閲覧者特定ＩＤが設定されていない場合）
【図２９】端末機の画面の動き（手動閲覧者特定ＩＤが設定されている場合）
【図３０】閲覧証拠データをハッシュ演算して改竄を防ぐ方法１
【図３１】閲覧証拠データをハッシュ演算して改竄を防ぐ方法２
【図３２】閲覧日時データがある閲覧証拠データをハッシュ演算して改竄を防ぐ方法１
【図３３】閲覧日時データがある閲覧証拠データをハッシュ演算して改竄を防ぐ方法２
【符号の説明】
（図１）
（１）閲覧者の端末機；　（２）閲覧管理者のサーバ；　（３、３’、３’’）ホームページ開設者のサーバ；　（４、４’、４’’）対象ホームページ；　（５）ホームページ特定ＩＤ；　（６）閲覧者特定ＩＤ；　（８、８’、８’’）対象ホームページ要求信号；　（９、９’、９’’）対象ホームページ表示信号；　（１０）閲覧管理サーバへのアクセス信号；　（１１）閲覧証拠データ信号；　（１２）閲覧証拠データ；　（１３）記憶装置；　（１４）端末機とサーバの通信；　（１５）；表示された閲覧証拠データ；　（２０）閲覧確認要求信号；　（２１）閲覧確認表示信号；
（図２）
（１）閲覧者の端末機；　（２）閲覧管理者のサーバ；　（３、３’、３’’）ホームページ開設者のサーバ；　（４、４’、４’’）対象ホームページ；　（５）ホームページ特定ＩＤ；　（６）閲覧者特定ＩＤ；　（８、８’、８’’）対象ホームページ要求信号；　（９、９’、９’’）対象ホームページ表示信号；　（１０）閲覧管理サーバへのアクセス信号；　（１１）閲覧証拠データ信号；　（１２）閲覧証拠データ；　（１３）端末機の記憶装置；　（１４）端末機とサーバの通信；　（１５）；表示された閲覧証拠データ；
（図３）
（１）閲覧者の端末機；　（２）閲覧管理者のサーバ；　（３、３’、３’’）ホームページ開設者のサーバ；　（４、４’、４’’）対象ホームページ；　（５）ホームページ特定ＩＤ；　（６）閲覧者特定ＩＤ；　（８、８’、８’’）対象ホームページ要求信号；　（９、９’、９’’）対象ホームページ表示信号；　（１０）閲覧管理サーバへのアクセス信号；　（１１）閲覧証拠データ信号；　（１２）閲覧証拠データ；　（１３）サーバの記憶装置；　（１４）端末機とサーバの通信；　（１５）；表示された閲覧証拠データ；　（２０）閲覧確認要求信号；　（２１）閲覧確認表示信号；
（図４）
（１）閲覧者の端末機；　（２）閲覧管理者兼ホームページ開設者のサーバ；　（４）対象ホームページ；　（５）ＵＲＬ−ホームページ特定ＩＤファイル；　（８）対象ホームページ要求信号；　（９）対象ホームページ表示信号；
（図５）
（１）閲覧者の端末機；　（２）閲覧管理者のサーバ；　（３）ホームページ開設者のサーバ；　（４）対象ホームページ；　（５）ＵＲＬ−ホームページ特定ＩＤファイル；　（６）画像データ名−ホームページ特定ＩＤファイル；　（７）リンク先ＵＲＬ−ホームページ特定ＩＤファイル；　（８）対象ホームページ要求信号；　（９）対象ホームページ表示信号；　（１０）リンク先要求信号；（１１）リンク先表示信号；
（図６）
（１）閲覧者の端末機；　（２）閲覧管理者のサーバ；　（３）ホームページ開設者のサーバ；　（４）対象ホームページ；　（５）リンク先ＵＲＬ−ホームページ特定ＩＤファイル；　（６）参照元ＵＲＬ−ホームページ特定ＩＤファイル；　（７）閲覧管理者のページへのリンクボタン；　（８）対象ホームページ要求信号；　（９）対象ホームページ表示信号；　（１０）リンク先要求信号；　（１１）リンク先表示信号；　（１２）閲覧管理者のリンク先ホームページ；
（図７）
（１）閲覧者の端末機；　（２）閲覧管理者のサーバ；　（３）ホームページ開設者のサーバ；　（４）対象ホームページ；　（５）リダイレクトＵＲＬ−ホームページ特定ＩＤファイル；　（８）対象ホームページ要求信号；　（９）対象ホームページ表示信号；　（１０）リダイレクト先要求信号；
（図８）
（１）閲覧者の端末機；　（２）閲覧管理者のプロキシサーバ；　（３）ホームページ開設者のサーバ；　（４）対象ホームページ；　（５）ＵＲＬ−ホームページ特定ＩＤファイル；　（８）対象ホームページ要求信号；　（９）対象ホームページ表示信号；　（１０）プロキシからの対象ホームページ要求信号；　（１１）プロキシへの対象ホームページ表示信号；
（図９）
（１）閲覧者の端末機；　（２）閲覧管理者のサーバ；　（３）閲覧管理開始ボタン；　（４リンク先の閲覧管理者のホームページ画面；　（５）閲覧者特定ＩＤ；　（１０）閲覧管理者のサーバへのアクセス信号；
（図１０）
（１）閲覧者の端末機；　（２）閲覧管理者のサーバ；　（４）アクセス先の閲覧管理者が表示するＩＤ入力画面；　（５）閲覧者特定ＩＤ；　（１０）閲覧管理者のサーバへのアクセス信号；　（１１）ＩＤ入力表示信号；　（１２）ＩＤ入力回答信号
（図１１）
（１）閲覧者の端末機；　（２）閲覧管理者のサーバ；　（４）ＩＤ入力の対象ホームページ画面；　（５）閲覧者特定ＩＤ；　（８）対象ホームページ要求信号；　（９）対象ホームページ表示信号；　（１０）閲覧管理者のサーバへのアクセス、応答信号；
（図１２）
（１）閲覧者の端末機；　（２）閲覧管理者のサーバ；　（４）ＩＤ入力の対象ホームページ画面；　（５）閲覧者特定ＩＤ；　（８）対象ホームページ要求信号；　（９）対象ホームページ表示信号；　（１０）閲覧管理者のサーバへのアクセス；　（１１）閲覧管理者のサーバからの入力画面表示信号；　（１２）閲覧管理者のサーバへの入力画面応答信号；　（１３）閲覧管理者のサーバから端末機に返す信号；
（図１３）
（１）閲覧者の端末機；　（２）閲覧管理者のサーバ；　（４）対象ホームページ画面；　（５）閲覧者特定ＩＤ；　（７）ＡＣＴＩＶＥ　Ｘプログラム；　（１０）閲覧管理者のサーバへのＡＣＴＩＶＥ　Ｘプログラムからの応答、アクセス信号；
（図１４）
Ａ．ホームページ閲覧者の端末機；　Ｂ．ホームページ特定ＩＤ；　Ｃ．対象ホームページ；　Ｄ．閲覧者特定ＩＤ；　Ｅ．閲覧証拠データ；　Ｆ．閲覧証拠データ；　Ｘ．ホームページ開設者のサーバ；　Ｙ．任意のコンピュータ、情報端末機；　Ｚ．ホームページ閲覧管理者のサーバ；
（図１５）
Ａ．ホームページ閲覧者の端末機；　Ｂ．ホームページ特定ＩＤ；　Ｃ．対象ホームページ；　Ｄ．閲覧者特定ＩＤ；　Ｅ．閲覧証拠データ；　Ｆ．閲覧証拠データ；　Ｇ．閲覧証拠データ；　Ｘ．ホームページ開設者のサーバ；　Ｚ．ホームページ閲覧管理者のサーバ；
（図１６）
Ａ．ホームページ閲覧者の端末機；　Ｂ．ホームページ特定ＩＤ；　Ｃ．対象ホームページ；　Ｄ．閲覧者特定ＩＤ；　Ｅ．閲覧証拠データ；　Ｆ１．画像データ；　Ｆ２．画像データ；　Ｇ．画像データ；　Ｈ．表示部；　Ｘ．ホームページ開設者のサーバ；　Ｚ．ホームページ閲覧管理者のサーバ；
（図１７）
Ａ．ホームページ閲覧者の端末機；　Ｂ．ホームページ特定ＩＤ；　Ｃ．対象ホームページ；　Ｄ．閲覧者特定ＩＤ；　Ｔ．閲覧日時データ；　Ｅ．閲覧証拠データ；　Ｍ．ホームページアドレス；　Ｋ．期間のデータ；　Ｆ．閲覧証拠データ；　Ｆ１．ホームページアドレス；　Ｆ２．期間のデータ；　Ｇ．閲覧証拠データ；　Ｈ．表示部　Ｉ．現在時刻；　Ｊ．記憶部；　Ｘ．ホームページ開設者のサーバ；　Ｚ．ホームページ閲覧管理者のサーバ；
（図１８）
Ａ．ホームページ閲覧者の端末機；　Ｂ．ホームページ特定ＩＤ；　Ｃ．対象ホームページ；　Ｄ．閲覧者特定ＩＤ；　Ｔ．閲覧日時データ；　Ｅ．閲覧証拠データ；　Ｅ３．画像データ；　Ｍ．ホームページアドレス；　Ｋ．期間のデータ；　Ｆ．画像データ；　Ｆ１．ホームページアドレス；　Ｆ２．期間のデータ；Ｇ．画像データ；　Ｈ．表示部　Ｉ．現在時刻；　Ｊ．記憶部；　Ｘ．ホームページ開設者のサーバ；　Ｚ．ホームページ閲覧管理者のサーバ；
（図１９）
Ａ．ホームページ閲覧者の端末機；　Ｆ１．閲覧証拠データ；　Ｆ２．画像データに書き込まれた閲覧証拠データ；　Ｇ１．送信された閲覧証拠データ；　Ｇ２．送信された画像データに書き込まれた閲覧証拠データ；　Ｉ．現在時刻；　Ｋ．予め設定した期間のデータ；　Ｌ．最終閲覧日時；　Ｚ．ホームページ閲覧管理者のサーバ；
（図２０）
Ａ．ホームページ閲覧者の端末機；　Ｆ１．閲覧証拠データ；　Ｆ２．画像データに書き込まれた閲覧証拠データ；　Ｇ１．送信された閲覧証拠データ；　Ｇ２．送信された画像データに書き込まれた閲覧証拠データ；　Ｇ３．閲覧時閲覧者特定ＩＤ；　Ｑ．再取得閲覧者特定ＩＤ；　Ｚ．ホームページ閲覧管理者のサーバ；
（図２１）
Ａ．ホームページ閲覧者の端末機；　Ｂ．ホームページ特定ＩＤ；　Ｃ．対象ホームページ；　Ｄ．閲覧者特定ＩＤ；　Ｆ．ホームページ特定ＩＤ及び閲覧者特定ＩＤ；　Ｇ．閲覧者特定ＩＤ；　Ｈ．表示部；　Ｑ．再取得閲覧者特定ＩＤ；Ｘ．ホームページ開設者のサーバ；　Ｚ．ホームページ閲覧管理者のサーバ；
（図２２）
Ａ．ホームページ閲覧者の端末機；　Ｂ．ホームページ特定ＩＤ；　Ｃ．対象ホームページ；　Ｄ．閲覧者特定ＩＤ；　Ｅ１．閲覧証拠データ；　Ｅ２．画像データ；　Ｇ．一致する画像データ；　Ｈ．表示部；　Ｑ．再取得閲覧者特定ＩＤ；　Ｘ．ホームページ開設者のサーバ；　Ｚ．ホームページ閲覧管理者のサーバ；
（図２３）
Ａ．ホームページ閲覧者の端末機；　Ｂ．ホームページ特定ＩＤ；　Ｃ．対象ホームページ；　Ｄ．閲覧者特定ＩＤ；　Ｅ．閲覧証拠データ；　Ｇ．一致する閲覧証拠データ；　Ｈ．表示部；　Ｉ．現在時刻；　Ｋ．期間や日時のデータ；　Ｌ．最終閲覧日時；　Ｍ．ホームページアドレス；　Ｑ．再取得閲覧者特定ＩＤ；　Ｘ．ホームページ開設者のサーバ；　Ｚ．ホームページ閲覧管理者のサーバ；
（図２４）
Ａ．ホームページ閲覧者の端末機；　Ｂ．ホームページ特定ＩＤ；　Ｃ．対象ホームページ；　Ｄ．閲覧者特定ＩＤ；　Ｅ．閲覧証拠データ；　Ｈ．表示部；　Ｉ．現在時刻；　Ｋ．期間や日時；　Ｌ．最終閲覧日時；　Ｍ．ホームページアドレス；　Ｎ．閲覧証拠管理ファイル；　Ｏ．ホームページ毎の期間日時、アドレスファイル；　Ｐ．閲覧回数；　Ｑ．再取得閲覧者特定ＩＤ；　Ｘ．ホームページ開設者のサーバ；　Ｚ．ホームページ閲覧管理者のサーバ；
（図２５）
Ａ．ホームページ閲覧者の端末機；　Ｂ．ホームページ特定ＩＤ；　Ｄ．閲覧者特定ＩＤ；　Ｓ．ホームページ特定ＩＤ用のクッキー；　Ｓ１．ホームページ特定ＩＤ用クッキーの値１；　Ｓ２．ホームページ特定ＩＤ用クッキーの値２；　Ｓ３．ホームページ特定ＩＤ用クッキーの値３；　Ｚ．ホームページ閲覧管理者のサーバ；
（図２６）
Ａ．ホームページ閲覧者の端末機；　Ｄ．閲覧者特定ＩＤ；　Ｕ．閲覧者特定ＩＤのクッキーの値；　Ｖ．一意のＩＤ；　Ｚ．ホームページ閲覧管理者のサーバ；
（図２７）
Ａ．ホームページ閲覧者の端末機；　Ｄ．閲覧者特定ＩＤ；　Ｄ１．自動閲覧者特定ＩＤ；　Ｄ２．手動閲覧者特定ＩＤ；　Ｅ．設定用手動閲覧者特定ＩＤ入力画面；　Ｆ．手動閲覧者特定ＩＤ通知画面；　Ｇ．手動閲覧者特定ＩＤ入力画面；　Ｏ．自動手動ＩＤファイル；
（図２８）
Ａ１．ホームページ閲覧者の端末機の画面；　Ａ２．手動ＩＤ登録ボタン；　Ａ３．手動ＩＤ入力ボタン；
（図２９）
Ａ１．ホームページ閲覧者の端末機の画面；　Ａ３．手動ＩＤ入力ボタン；
（図３０）
Ｂ．ホームページ特定ＩＤ；　Ｂ１．置換ＩＤ；　Ｄ．閲覧者特定ＩＤ；　Ｄ１．ハッシュ演算データ；　Ｅ．閲覧証拠データ；　Ｚ．閲覧管理者のサーバ；
（図３１）
Ｂ．ホームページ特定ＩＤ；　Ｂ１．置換ＩＤ；　Ｄ．閲覧者特定ＩＤ；　Ｄ１．ハッシュ演算データ；　Ｅ．閲覧証拠データ；　Ｚ．閲覧管理者のサーバ；
（図３２）
Ｂ．ホームページ特定ＩＤ；　Ｂ１．置換ＩＤ；　Ｄ．閲覧者特定ＩＤ；　Ｄ１．ハッシュ演算データ；　Ｅ．閲覧証拠データ；　Ｔ．閲覧日時データ；　Ｚ．閲覧管理者のサーバ；
（図３３）
Ｂ．ホームページ特定ＩＤ；　Ｂ１．置換ＩＤ；　Ｄ．閲覧者特定ＩＤ；　Ｄ１．ハッシュ演算データ；　Ｅ．閲覧証拠データ；　Ｔ．閲覧日時データ；　Ｚ．閲覧管理者のサーバ；
【図１】
2004118238.tif 000003
【図２】
2004118238.tif 000004
【図３】
2004118238.tif 000005
【図４】
2004118238.tif 000006
【図５】
2004118238.tif 000007
【図６】
2004118238.tif 000008
【図７】
2004118238.tif 000009
【図８】
2004118238.tif 000010
【図９】
2004118238.tif 000011
【図１０】
2004118238.tif 000012
【図１１】
2004118238.tif 000013
【図１２】
2004118238.tif 000014
【図１３】
2004118238.tif 000015
【図１４】
2004118238.tif 000016
【図１５】
2004118238.tif 000017
【図１６】
2004118238.tif 000018
【図１７】
2004118238.tif 000019
【図１８】
2004118238.tif 000020
【図１９】
2004118238.tif 000021
【図２０】
2004118238.tif 000022
【図２１】
2004118238.tif 000023
【図２２】
2004118238.tif 000024
【図２３】
2004118238.tif 000025
【図２４】
2004118238.tif 000026
【図２５】
2004118238.tif 000027
【図２６】
2004118238.tif 000028
【図２７】
2004118238.tif 000029
【図２８】
2004118238.tif 000030
【図２９】
2004118238.tif 000031
【図３０】
2004118238.tif 000032
【図３１】
2004118238.tif 000033
【図３２】
2004118238.tif 000034
【図３３】
2004118238.tif 000035